(57)【要約】  【課題】リジェクト紙幣のリジェクト率を低減し、紙幣搬送路26でリジェクト紙幣を正規紙幣と重複搬送することなく搬送できる循環式紙幣入出金機を提供する。  【解決手段】出金処理時、補充処理時、締回収処理時において、紙幣搬送路26で識別したリジェクト紙幣は、各処理に対応して紙幣搬送路26により正規紙幣とは重複搬送することなく搬送して送り込み可能な補充回収紙幣収納部19、第３金種紙幣用スタッカ23、顧客用操作口部17のいずれかへ送り込む。各処理完了後、補充回収紙幣収納部19、第３金種紙幣用スタッカ、顧客用操作口部のいずれかからリジェクト紙幣を紙幣搬送路26に繰り出して再識別する。再識別の結果、正規の紙幣は各処理に対応する補充回収紙幣収納部19、第１および第２金種紙幣用スタッカ21，22へ送り、再度リジェクト紙幣と識別された紙幣はリジェクト紙幣収納部20へ回収する。  【選択図】図１
2006127132.tif 000002
【特許請求の範囲】
【請求項１】
機体の後面側には紙幣の補充および回収が可能で紙幣を機体の後面側から取り出せる補充回収紙幣収納部、機体の前面側には出金紙幣の取出しが可能な出金口機能と入金紙幣の挿入が可能な入金口機能を有する顧客用操作口部を設け、
機体には、紙幣の繰込みと繰出しが可能で出金用の第１金種紙幣を収納する第１金種紙幣用スタッカ、紙幣の繰込みと繰出しが可能で出金用の第２金種紙幣を収納する第２金種紙幣用スタッカ、紙幣の繰込みと繰出しが可能で入金される第３金種紙幣を収納する第３金種紙幣用スタッカ、リジェクト紙幣を回収するリジェクト紙幣収納部、前記各部に接続されて紙幣を搬送する搬送手段および紙幣を識別する紙幣識別手段を有する正逆搬送可能な紙幣搬送路を設け、
紙幣の補充処理、入金処理、出金処理、締回収処理を制御する制御部を具備し、
制御部は、
出金処理時、補充処理時、締回収処理時において、各処理に応じて、第１金種紙幣用スタッカ、第２金種紙幣用スタッカ、第３金種紙幣用スタッカ、補充回収紙幣収納部から紙幣を１枚ずつ繰り出し紙幣搬送路へ送って紙幣識別手段で識別し、
正規の金種紙幣は、各処理に対応する顧客用操作口部、第１金種紙幣用スタッカ、第２金種紙幣用スタッカ、補充回収紙幣収納部へ送るとともに、
リジェクト紙幣は、各処理に対応して紙幣搬送路により正規紙幣とは重複搬送することなく搬送して送り込み可能な補充回収紙幣収納部、第３金種紙幣用スタッカ、顧客用操作口部のいずれかへ送り込み、各処理完了後、各処理における各金種毎の処理完了後、あるいはリジェクト紙幣の量が所定量になったときのいずれかで、リジェクト紙幣を補充回収紙幣収納部、第３金種紙幣用スタッカ、顧客用操作口部のいずれかから１枚ずつ繰り出し、あるいはそのリジェクト紙幣を補充回収紙幣収納部、第３金種紙幣用スタッカ、顧客操作口部のいずれかへ移しかえた後そこから１枚ずつ繰り出し、紙幣搬送路へ送って紙幣識別手段で再識別し、正規の金種紙幣は各処理に対応する補充回収紙幣収納部、第１金種紙幣用スタッカ、第２金種紙幣用スタッカへ送るとともに、再度リジェクト紙幣と識別された紙幣はリジェクト紙幣収納部へ回収させる
ことを特徴とする循環式紙幣入出金機。
【請求項２】
機体の後面側に上部から下部に向けて、補充回収紙幣収納部、リジェクト紙幣収納部、紙幣の繰込みと繰出しとが可能で出金用の第１金種紙幣を収納する第１金種紙幣用スタッカ、紙幣の繰込みと繰出しとが可能で出金用の第２金種紙幣を収納する第２金種紙幣用スタッカを設け、これら補充回収紙幣収納部、リジェクト紙幣収納部、第１金種紙幣用スタッカ、第２金種紙幣用スタッカに収納される紙幣を機体の後面側から取出可能とし、
機体の前面側上部域に出金紙幣の取出しが可能な出金口部機能と入金紙幣の挿入が可能な入金口部機能とを有する顧客用操作口部を設けるとともに、機体の前面側下部域に紙幣の繰込みと繰出しとが可能で入金される第３金種紙幣を収納する第３金種紙幣用スタッカを設け、
補充回収紙幣収納部、リジェクト紙幣収納部、第１金種紙幣用スタッカ、第２金種紙幣用スタッカの各前面側と顧客用操作口部および第３金種紙幣用スタッカの各後面側との間の前後空間域、および顧客用操作口部の下方で第３金種紙幣用スタッカの上方の上下空間域に、紙幣を搬送する搬送手段および紙幣を識別する紙幣識別手段を有する正逆搬送可能な紙幣搬送路を配置し、この紙幣搬送路には、紙幣識別手段が配置されるループ状搬送部、このループ状搬送部からループ外へ延びる複数の外方通路部、ループ状搬送部および各外方通路部の接続部に配置される複数の分岐手段を設け、
紙幣の補充処理、入金処理、出金処理、締回収処理を制御する制御部を具備し、
制御部は、
出金処理時、補充処理時、締回収処理時において、各処理に応じて、第１金種紙幣用スタッカ、第２金種紙幣用スタッカ、第３金紙紙幣用スタッカ、補充回収紙幣収納部から紙幣を１枚ずつ繰り出し紙幣搬送路へ送って紙幣識別手段で識別し、
正規の金種紙幣は、各処理に対応する顧客用操作口部、第１金種紙幣用スタッカ、第２金種紙幣用スタッカ、補充回収紙幣収納部へ送るとともに、
リジェクト紙幣は、各処理に対応して紙幣搬送路により正規紙幣とは重複搬送することなく搬送して送り込み可能な補充回収紙幣収納部、第３金種紙幣用スタッカ、顧客用操作口部のいずれかへ送り込み、各処理完了後、各処理における各金種毎の処理完了後、あるいはリジェクト紙幣の量が所定量になったときのいずれかで、リジェクト紙幣を補充回収紙幣収納部、第３金種紙幣用スタッカ、顧客用操作口部のいずれかから１枚ずつ繰り出し、あるいはそのリジェクト紙幣を補充回収紙幣収納部、第３金種紙幣用スタッカ、顧客操作口部のいずれかへ移しかえた後そこから１枚ずつ繰り出し、紙幣搬送路へ送って紙幣識別手段で再識別し、正規の金種紙幣は各処理に対応する補充回収紙幣収納部、第１金種紙幣用スタッカ、第２金種紙幣用スタッカへ送るとともに、再度リジェクト紙幣と識別された紙幣はリジェクト紙幣収納部へ回収させる
ことを特徴とする循環式紙幣入出金機。
【請求項３】
機体の後面側に上部から下部に向けて、補充回収紙幣収納部、リジェクト紙幣収納部、紙幣の繰込みと繰出しとが可能で出金用の第１金種紙幣を収納する第１金種紙幣用スタッカ、紙幣の繰込みと繰出しとが可能で出金用の第２金種紙幣を収納する第２金種紙幣用スタッカを設け、これら補充回収紙幣収納部、リジェクト紙幣収納部、第１金種紙幣用スタッカ、第２金種紙幣用スタッカに収納される紙幣を機体の後面側から取出可能とし、
機体の前面側上部域に出金紙幣の取出しが可能な出金口部機能と入金紙幣の挿入が可能な入金口部機能とを有する顧客用操作口部を設けるとともに、機体の前面側下部域に紙幣の繰込みと繰出しとが可能で入金される第３金種紙幣を収納する第３金種紙幣用スタッカを設け、
補充回収紙幣収納部、リジェクト紙幣収納部、第１金種紙幣用スタッカ、第２金種紙幣用スタッカの各前面側と顧客用操作口部および第３金種紙幣用スタッカの各後面側との間の前後空間域、および顧客用操作口部の下方で第３金種紙幣用スタッカの上方の上下空間域に、紙幣を搬送する搬送手段および紙幣を識別する紙幣識別手段を有する正逆搬送可能な紙幣搬送路を配置し、この紙幣搬送路には、紙幣識別手段が配置されるループ状搬送部、このループ状搬送部からループ外へ延びる複数の外方通路部、ループ状搬送部および各外方通路部の接続部に配置される複数の分岐手段を設け、
紙幣の補充処理、入金処理、出金処理、締回収処理を制御する制御部を具備し、
制御部は、
出金処理時において、出金金種に対応する第１金種紙幣用スタッカおよび第２金種紙幣用スタッカから紙幣を１枚ずつ繰り出し紙幣搬送路へ送って紙幣識別手段で識別し、
正規の金種紙幣は、顧客用操作口部へ送るとともに、
リジェクト紙幣は、紙幣搬送路により正規紙幣とは重複搬送することなく搬送して送り込み可能な補充回収紙幣収納部へ送り込み、出金処理完了後に、リジェクト紙幣を補充回収紙幣収納部から１枚ずつ繰り出し紙幣搬送路へ送って紙幣識別手段で再識別し、正規の金種紙幣は収納金種に対応する第１金種紙幣用スタッカおよび第２金種紙幣用スタッカへ送るとともに、再度リジェクト紙幣と識別された紙幣はリジェクト紙幣収納部へ回収させる
ことを特徴とする循環式紙幣入出金機。
【請求項４】
機体の後面側に上部から下部に向けて、補充回収紙幣収納部、リジェクト紙幣収納部、紙幣の繰込みと繰出しとが可能で出金用の第１金種紙幣を収納する第１金種紙幣用スタッカ、紙幣の繰込みと繰出しとが可能で出金用の第２金種紙幣を収納する第２金種紙幣用スタッカを設け、これら補充回収紙幣収納部、リジェクト紙幣収納部、第１金種紙幣用スタッカ、第２金種紙幣用スタッカに収納される紙幣を機体の後面側から取出可能とし、
機体の前面側上部域に出金紙幣の取出しが可能な出金口部機能と入金紙幣の挿入が可能な入金口部機能とを有する顧客用操作口部を設けるとともに、機体の前面側下部域に紙幣の繰込みと繰出しとが可能で入金される第３金種紙幣を収納する第３金種紙幣用スタッカを設け、
補充回収紙幣収納部、リジェクト紙幣収納部、第１金種紙幣用スタッカ、第２金種紙幣用スタッカの各前面側と顧客用操作口部および第３金種紙幣用スタッカの各後面側との間の前後空間域、および顧客用操作口部の下方で第３金種紙幣用スタッカの上方の上下空間域に、紙幣を搬送する搬送手段および紙幣を識別する紙幣識別手段を有する正逆搬送可能な紙幣搬送路を配置し、この紙幣搬送路には、紙幣識別手段が配置されるループ状搬送部、このループ状搬送部からループ外へ延びる複数の外方通路部、ループ状搬送部および各外方通路部の接続部に配置される複数の分岐手段を設け、
紙幣の補充処理、入金処理、出金処理、締回収処理を制御する制御部を具備し、
制御部は、
補充処理時において、補充回収紙幣収納部から紙幣を繰り出し紙幣搬送路へ送って紙幣識別手段で識別し、
正規の金種紙幣は、収納金種に対応する第１金種紙幣用スタッカおよび第２金種紙幣用スタッカへ送るとともに、
リジェクト紙幣は、紙幣搬送路により正規紙幣とは重複搬送することなく搬送して送り込み可能な第３金種紙幣用スタッカへ送り込み、補充処理完了後、各処理における各金種毎の処理完了後、あるいはリジェクト紙幣の量が所定量になったときに、リジェクト紙幣を第３金種紙幣用スタッカから１枚ずつ繰り出し紙幣搬送路へ送って紙幣識別手段で再識別し、正規の金種紙幣は収納金種に対応する第１金種紙幣用スタッカおよび第２金種紙幣用スタッカへ送るとともに、再度リジェクト紙幣と識別された紙幣はリジェクト紙幣収納部へ回収させる
ことを特徴とする循環式紙幣入出金機。
【請求項５】
機体の後面側に上部から下部に向けて、補充回収紙幣収納部、リジェクト紙幣収納部、紙幣の繰込みと繰出しとが可能で出金用の第１金種紙幣を収納する第１金種紙幣用スタッカ、紙幣の繰込みと繰出しとが可能で出金用の第２金種紙幣を収納する第２金種紙幣用スタッカを設け、これら補充回収紙幣収納部、リジェクト紙幣収納部、第１金種紙幣用スタッカ、第２金種紙幣用スタッカに収納される紙幣を機体の後面側から取出可能とし、
機体の前面側上部域に出金紙幣の取出しが可能な出金口部機能と入金紙幣の挿入が可能な入金口部機能とを有する顧客用操作口部を設けるとともに、機体の前面側下部域に紙幣の繰込みと繰出しとが可能で入金される第３金種紙幣を収納する第３金種紙幣用スタッカを設け、
補充回収紙幣収納部、リジェクト紙幣収納部、第１金種紙幣用スタッカ、第２金種紙幣用スタッカの各前面側と顧客用操作口部および第３金種紙幣用スタッカの各後面側との間の前後空間域、および顧客用操作口部の下方で第３金種紙幣用スタッカの上方の上下空間域に、紙幣を搬送する搬送手段および紙幣を識別する紙幣識別手段を有する正逆搬送可能な紙幣搬送路を配置し、この紙幣搬送路には、紙幣識別手段が配置されるループ状搬送部、このループ状搬送部からループ外へ延びる複数の外方通路部、ループ状搬送部および各外方通路部の接続部に配置される複数の分岐手段を設け、
紙幣の補充処理、入金処理、出金処理、締回収処理を制御する制御部を具備し、
制御部は、
締回収処理時において、第１金種紙幣用スタッカおよび第２金種紙幣用スタッカのうちの一方から紙幣を１枚ずつ繰り出し紙幣搬送路へ送って紙幣識別手段で識別し、正規の金種紙幣は補充回収紙幣収納部へ回収するとともに、リジェクト紙幣は紙幣搬送路により正規紙幣とは重複搬送することなく搬送して送り込み可能な顧客用操作口部へ一時保留し、繰出中の一方のスタッカを空にする第１制御ステップと、
第１制御ステップに続いて、第１金種紙幣用スタッカおよび第２金種紙幣用スタッカのうちの他方から紙幣を１枚ずつ繰り出し紙幣搬送路へ送って紙幣識別手段で識別し、正規の金種紙幣は前回空になった一方のスタッカへ回収するとともに、リジェクト紙幣は紙幣搬送路により正規紙幣とは重複搬送することなく搬送して送り込み可能な顧客用操作口部へ一時保留し、繰出中の他方のスタッカを空にする第２制御ステップと、
第２制御ステップに続いて、第３金種紙幣用スタッカの紙幣を１枚ずつ繰り出し紙幣搬送路へ送って紙幣識別手段で識別し、正規の金種紙幣は前回空になった他方のスタッカへ回収するとともに、リジェクト紙幣は紙幣搬送路により正規紙幣とは重複搬送することなく搬送して送り込み可能な顧客用操作口部へ一時保留し、繰出中の第３金種紙幣用スタッカを空にする第３制御ステップと、
全金種の締回収処理完了後、各金種毎の締回収処理完了後、あるいはリジェクト紙幣の量が所定量になったときのいずれかで、リジェクト紙幣を顧客用操作口部から繰り出し、空の第３金種紙幣用スタッカへ移しかえ、この第３金種紙幣用スタッカからリジェクト紙幣を１枚ずつ繰り出し紙幣搬送路へ送って紙幣識別手段で再識別し、正規の金種紙幣は対応する金種紙幣を回収した補充回収紙幣収納部、第１金種紙幣用スタッカおよび第２金種紙幣用スタッカへ回収し、再度リジェクト紙幣と識別されたリジェクト紙幣はリジェクト紙幣収納部へ回収する第４制御ステップとを備え、
第１、第２、第３、第４の各制御ステップを通じて、第１金種紙幣、第２金種紙幣、第３金種紙幣は識別計数後に金種別に補充回収紙幣収納部、第１金種紙幣用スタッカおよび第２金種紙幣用スタッカへ回収し、リジェクト紙幣はリジェクト紙幣収納部へ回収させる
ことを特徴とする循環式紙幣入出金機。
【請求項６】
機体の後面側に上部から下部に向けて、取忘れ紙幣収納部、補充回収紙幣収納部、リジェクト紙幣収納部、紙幣の繰込みと繰出しとが可能で出金用の第１金種紙幣を収納する第１金種紙幣用スタッカ、紙幣の繰込みと繰出しとが可能で出金用の第２金種紙幣を収納する第２金種紙幣用スタッカを設け、
機体の前面側上部域に出金紙幣の取出しが可能な出金口部機能と入金紙幣の挿入が可能な入金口部機能とを有する顧客用操作口部を設けるとともに、機体の前面側下部域に紙幣の繰込みと繰出しとが可能で入金される第３金種紙幣および第４金種紙幣を収納する２金種混在収納用スタッカを設け、
取忘れ紙幣収納部、補充回収紙幣収納部、リジェクト紙幣収納部、第１金種紙幣用スタッカ、第２金種紙幣用スタッカの各前面側と顧客用操作口部および２金種混在収納用スタッカの各後面側との間の前後空間域、および顧客用操作口部の下方で２金種混在収納用スタッカの上方の上下空間域に、紙幣を搬送する搬送手段および紙幣を識別する紙幣識別手段を有する正逆搬送可能な紙幣搬送路を配置し、この紙幣搬送路には、紙幣識別手段が配置されるループ状搬送部、このループ状搬送部からループ外へ延びる複数の外方通路部、ループ状搬送部および各外方通路部の接続部に配置される複数の分岐手段を設け、
紙幣の補充処理、入金処理、出金処理、締回収処理を制御する制御部を具備し、
制御部は、
締回収処理時において、第１金種紙幣用スタッカから紙幣を１枚ずつ繰り出し紙幣搬送路へ送って紙幣識別手段で識別し、正規の金種紙幣は補充回収紙幣収納部へ回収するとともに、リジェクト紙幣は紙幣搬送路により正規紙幣とは重複搬送することなく搬送して送り込み可能な顧客用操作口部へ一時保留し、繰出中の第１金種紙幣用スタッカを空にする第１制御ステップと、
第１制御ステップに続いて、第２金種紙幣用スタッカから紙幣を１枚ずつ繰り出し紙幣搬送路へ送って紙幣識別手段で識別し、正規の金種紙幣は前回空になった第１金種紙幣用スタッカへ回収するとともに、リジェクト紙幣は紙幣搬送路により正規紙幣とは重複搬送することなく搬送して送り込み可能な顧客用操作口部へ一時保留し、繰出中の第２金種紙幣用スタッカを空にする第２制御ステップと、
第２制御ステップに続いて、２金種混在収納用スタッカの紙幣を１枚ずつ繰り出し紙幣搬送路へ送って紙幣識別手段で識別し、正規の第３金種紙幣は前回空になった第２金種紙幣用スタッカへ、正規の第４金種紙幣は取忘れ紙幣収納部へ回収するとともに、リジェクト紙幣は紙幣搬送路により正規紙幣とは重複搬送することなく搬送して送り込み可能な顧客用操作口部へ一時保留し、繰出中の２金種混在収納用スタッカを空にする第３制御ステップと、
全金種の締回収処理完了後、各金種毎の締回収処理完了後、あるいはリジェクト紙幣の量が所定量になったときのいずれかで、リジェクト紙幣を顧客用操作口部から繰り出し、空の２金種混在収納用スタッカへ移しかえ、この２金種混在収納用スタッカからリジェクト紙幣を１枚ずつ繰り出し紙幣搬送路へ送って紙幣識別手段で再識別し、正規の金種紙幣は対応する金種紙幣を回収する補充回収紙幣収納部、第１金種紙幣用スタッカ、第２金種紙幣用スタッカ、取忘れ紙幣収納部へ回収し、再度リジェクト紙幣と識別されたリジェクト紙幣はリジェクト紙幣収納部へ回収する第４制御ステップとを備え、
第１、第２、第３、第４の各制御ステップを通じて、第１金種紙幣、第２金種紙幣、第３金種紙幣、第４金種紙幣は識別計数後に金種別に補充回収紙幣収納部、第１金種紙幣用スタッカ、第２金種紙幣用スタッカ、取忘れ紙幣収納部へ回収し、リジェクト紙幣はリジェクト紙幣収納部へ回収させる
ことを特徴とする循環式紙幣入出金機。
【請求項７】
機体の後面側に上部から下部に向けて、補充回収紙幣収納部、リジェクト紙幣収納部、紙幣の繰込みと繰出しとが可能で出金用の第１金種紙幣を収納する第１金種紙幣用スタッカ、紙幣の繰込みと繰出しとが可能で出金用の第２金種紙幣を収納する第２金種紙幣用スタッカを設け、これら補充回収紙幣収納部、リジェクト紙幣収納部、第１金種紙幣用スタッカ、第２金種紙幣用スタッカに収納される紙幣を機体の後面側から取出可能とし、
機体の前面側上部域に出金紙幣の取出しが可能な出金口部機能と入金紙幣の挿入が可能な入金口部機能とを有する顧客用操作口部を設けるとともに、機体の前面側下部域に紙幣の繰込みと繰出しとが可能で入金される第３金種紙幣を収納する第３金種紙幣用スタッカを設け、
補充回収紙幣収納部、リジェクト紙幣収納部、第１金種紙幣用スタッカ、第２金種紙幣用スタッカの各前面側と顧客用操作口部および第３金種紙幣用スタッカの各後面側との間の前後空間域、および顧客用操作口部の下方で第３金種紙幣用スタッカの上方の上下空間域に、紙幣を搬送する搬送手段および紙幣を識別する紙幣識別手段を有する正逆搬送可能な紙幣搬送路を配置し、この紙幣搬送路には、紙幣識別手段が配置されるループ状搬送部、このループ状搬送部からループ外へ延びる複数の外方通路部、ループ状搬送部および各外方通路部の接続部に配置される複数の分岐手段を設け、
外方通路部には、ループ状搬送部と補充回収紙幣収納部とを接続する補充回収紙幣収納部用搬送部を備え、
ループ状搬送部と補充回収紙幣収納部用搬送部との接続部の分岐手段には、ループ状搬送部の正方向搬送、逆方向搬送のいずれの場合もループ状搬送部の紙幣を補充回収紙幣収納部用搬送部へ送れる三方向切換機構を備え、
紙幣の補充処理、入金処理、出金処理、締回収処理を制御する制御部を具備し、
制御部は、
締回収処理時において、第１金種紙幣用スタッカおよび第２金種紙幣用スタッカのうちの一方から紙幣を１枚ずつ繰り出し紙幣搬送路へ送って紙幣識別手段で識別し、正規の金種紙幣は補充回収紙幣収納部へ回収するとともに、リジェクト紙幣は紙幣搬送路により正規紙幣とは重複搬送することなく搬送して送り込み可能な顧客用操作口部へ一時保留し、繰出中の一方のスタッカを空にする第１制御ステップと、
第１制御ステップに続いて、第１金種紙幣用スタッカおよび第２金種紙幣用スタッカのうちの他方から紙幣を１枚ずつ繰り出し紙幣搬送路へ送って紙幣識別手段で識別し、正規の金種紙幣は前回空になった一方のスタッカへ回収するとともに、リジェクト紙幣は紙幣搬送路により正規紙幣とは重複搬送することなく搬送して送り込み可能な顧客用操作口部へ一時保留し、繰出中の他方のスタッカを空にする第２制御ステップと、
第２制御ステップに続いて、第３金種紙幣用スタッカの紙幣を１枚ずつ繰り出し紙幣搬送路へ送って紙幣識別手段で識別し、正規の金種紙幣は前回空になった他方のスタッカへ回収するとともに、リジェクト紙幣は紙幣搬送路により正規紙幣とは重複搬送することなく搬送して送り込み可能な顧客用操作口部へ一時保留し、繰出中の第３金種紙幣用スタッカを空にする第３制御ステップと、
全金種の締回収処理完了後、各金種毎の締回収処理完了後、あるいはリジェクト紙幣の量が所定量になったときのいずれかで、リジェクト紙幣を顧客用操作口部から１枚ずつ繰り出し紙幣搬送路へ送って紙幣識別手段で再識別し、正規の金種紙幣は対応する金種紙幣を回収した補充回収紙幣収納部、第１金種紙幣用スタッカおよび第２金種紙幣用スタッカへ回収し、再度リジェクト紙幣と識別されたリジェクト紙幣はリジェクト紙幣収納部へ回収する第４制御ステップとを備え、
第１、第２、第３、第４の各制御ステップを通じて、第１金種紙幣、第２金種紙幣、第３金種紙幣は識別計数後に金種別に補充回収紙幣収納部、第１金種紙幣用スタッカおよび第２金種紙幣用スタッカへ回収し、リジェクト紙幣はリジェクト紙幣収納部へ回収させる
ことを特徴とする循環式紙幣入出金機。
【発明の詳細な説明】
【技術分野】
【０００１】
本発明は、機体の後面側から係員により紙幣の補充と回収とが可能で、機体の前面側から顧客により入金紙幣の挿入と出金紙幣の取出しとが可能で、入金紙幣を出金紙幣に循環使用する循環式紙幣入出金機に関する。
【背景技術】
【０００２】
従来の循環式紙幣入出金機では、機体の後面側に、上部から下部に向けて、補充回収部、第１の回収部、リジェクト紙幣回収部、第２の回収部、第１のスタッカ部が設けられ、また、機体の前面側に、上部位置には顧客が入金紙幣の挿入と出金紙幣の取出しをする顧客用操作口部としての出金口部および入金口部が設けられ、下部位置には第２のスタッカ部が設けられている。また、補充処理、入金処理、出金処理、締回収処理を可能とするため、必要に応じ各部を接続する紙幣搬送路が設けられている。この紙幣搬送路は、紙幣を一方方向搬送する構成とされ、この一方方向搬送通路途上には紙幣の真偽、金種などを識別する識別部が設けられている。
【０００３】
そして、補充処理時には、補充回収部に補充収納された紙幣（出金金種としての千円紙幣および万円紙幣）を繰り出し、識別部を有する紙幣搬送路を通じて、万円紙幣は第１のスタッカ部へ収納し、千円紙幣は第２のスタッカ部へ収納し、リジェクト紙幣はリジェクト紙幣回収部へ回収する。
【０００４】
出金処理時には、出金に必要な第１のスタッカ部または第２のスタッカから、必要枚数の万円紙幣または千円紙幣を繰り出し、識別部を有する紙幣搬送路を通じて、正規紙幣は出金口部へ送り、リジェクト紙幣はリジェクト紙幣回収部へ回収する。
【０００５】
入金処理時は、正規の千円紙幣、５千円紙幣、万円紙幣の入金が可能で、入金口部に装填された紙幣を繰り込み、識別部を有する紙幣搬送路を通じて、正規の万円紙幣は第１のスタッカ部へ送り、正規の千円紙幣は第２のスタッカへ送り、正規の５千円紙幣は第２の回収部へ送り、リジェクト紙幣は顧客に返却するために出金口部へ送る。
【０００６】
締回収処理時は、まず、第１のスタッカ部の万円紙幣を繰り出し、識別部を有する紙幣搬送路を通じて、正規の万円紙幣は識別計数した後、回収専用の第１の回収部へ回収収納する。次に、第２のスタッカ部の千円紙幣を繰り出し、識別部を有する紙幣搬送路を通じて、正規の千円紙幣は識別計数した後、紙幣補充回収部へ回収収納する。このようにして、千円紙幣は識別計数した後に機体の後面側の紙幣補充回収部から取り出せ、万円紙幣は識別計数した後に機体の後面側の回収専用の第１の回収部から取り出せる。また、リジェクト紙幣は機体の後面側のリジェクト紙幣回収部から取り出せる。
【０００７】
ところが、５千円紙幣は、入金処理時に第２の回収部へ収納しており、識別計数することなく機体の後面側から取り出せるようになっている（例えば、特許文献１参照。）。
【特許文献１】特開平１１−９６４４０号公報（第１１−１７頁、図１）
【発明の開示】
【発明が解決しようとする課題】
【０００８】
従来の循環式紙幣入出金機では、出金処理時、補充処理時、締回収処理時において、紙幣搬送路の識別部でリジェクト紙幣と識別された紙幣は直ぐにリジェクト紙幣回収部へ回収するようになっている。
【０００９】
このように、リジェクト紙幣と識別された紙幣を直ぐにリジェクト紙幣回収部へ回収するようにすると、リジェクト率が高くなるが、リジェクト率は高くても正規紙幣のみを処理に使用したいという市場の要望に対応したものであった。
【００１０】
ところが、機体の後面側に係員用操作部、機体の前面側に顧客が入金紙幣の挿入と出金紙幣の取出しとが可能な顧客用操作口部を有し、入金処理と出金処理とが可能で、入金紙幣を出金紙幣に循環使用する循環式紙幣入出金機、とりわけ競馬場などの公営競技施設に設置して使用される循環式紙幣入出金機においては、最近、次のような市場要望が望まれている。すなわち、出金処理時、補充処理時、締回収処理時において、リジェクト紙幣のリジェクト率を下げ、少しでも正規紙幣として扱って処理に有効使用して欲しいというものである。
【００１１】
しかし、従来の循環式紙幣入出金機では、紙幣搬送路が一方方向搬送する構成であり、リジェクト紙幣をどこかへ一時保留した後、このリジェクト紙幣を再繰出して再識別しようとすると、繰出した未識別紙幣と識別後の識別済み紙幣とが紙幣搬送路のどこかで重複搬送する重複搬送域が生じ、未識別紙幣と識別済み紙幣のうちの一方の紙幣が搬送通過するまで、他方の紙幣を待たせる必要があり、搬送に時間がかかるなどの問題が生じていた。また、リジェクト紙幣専用の特別な一時保留部を設ける必要があり、大形になる問題がある。
【００１２】
本発明は、このような点に鑑みなされたもので、リジェクト紙幣のリジェクト率を低減し、正規紙幣として有効使用でき、さらに、紙幣搬送路でリジェクト紙幣を正規紙幣と重複搬送することなく、紙幣の搬送をスムーズにできるとともに、専用のリジェクト紙幣一時保留部を設けることなくリジェクト紙幣の一時保留ができ、小形に構成できる循環式紙幣入出金機を提供することを目的とする。
【課題を解決するための手段】
【００１３】
請求項１記載の循環式紙幣入出金機は、機体の後面側には紙幣の補充および回収が可能で紙幣を機体の後面側から取り出せる補充回収紙幣収納部、機体の前面側には出金紙幣の取出しが可能な出金口機能と入金紙幣の挿入が可能な入金口機能を有する顧客用操作口部を設け、機体には、紙幣の繰込みと繰出しが可能で出金用の第１金種紙幣を収納する第１金種紙幣用スタッカ、紙幣の繰込みと繰出しが可能で出金用の第２金種紙幣を収納する第２金種紙幣用スタッカ、紙幣の繰込みと繰出しが可能で入金される第３金種紙幣を収納する第３金種紙幣用スタッカ、リジェクト紙幣を回収するリジェクト紙幣収納部、前記各部に接続されて紙幣を搬送する搬送手段および紙幣を識別する紙幣識別手段を有する正逆搬送可能な紙幣搬送路を設け、紙幣の補充処理、入金処理、出金処理、締回収処理を制御する制御部を具備し、制御部は、出金処理時、補充処理時、締回収処理時において、各処理に応じて、第１金種紙幣用スタッカ、第２金種紙幣用スタッカ、第３金種紙幣用スタッカ、補充回収紙幣収納部から紙幣を１枚ずつ繰り出し紙幣搬送路へ送って紙幣識別手段で識別し、正規の金種紙幣は、各処理に対応する顧客用操作口部、第１金種紙幣用スタッカ、第２金種紙幣用スタッカ、補充回収紙幣収納部へ送るとともに、リジェクト紙幣は、各処理に対応して紙幣搬送路により正規紙幣とは重複搬送することなく搬送して送り込み可能な補充回収紙幣収納部、第３金種紙幣用スタッカ、顧客用操作口部のいずれかへ送り込み、各処理完了後、各処理における各金種毎の処理完了後、あるいはリジェクト紙幣の量が所定量になったときのいずれかで、リジェクト紙幣を補充回収紙幣収納部、第３金種紙幣用スタッカ、顧客用操作口部のいずれかから１枚ずつ繰り出し、あるいはそのリジェクト紙幣を補充回収紙幣収納部、第３金種紙幣用スタッカ、顧客操作口部のいずれかへ移しかえた後そこから１枚ずつ繰り出し、紙幣搬送路へ送って紙幣識別手段で再識別し、正規の金種紙幣は各処理に対応する補充回収紙幣収納部、第１金種紙幣用スタッカ、第２金種紙幣用スタッカへ送るとともに、再度リジェクト紙幣と識別された紙幣はリジェクト紙幣収納部へ回収させるものである。
【００１４】
そして、出金処理時、補充処理時、締回収処理時において、リジェクト紙幣は、各処理に対応して紙幣搬送路により正規紙幣とは重複搬送することなく搬送して送り込み可能な補充回収紙幣収納部、第３金種紙幣用スタッカ、顧客用操作口部のいずれかへ送り込み、各処理完了後、各処理における各金種毎の処理完了後、あるいはリジェクト紙幣の量が所定量になったときのいずれかで、リジェクト紙幣を補充回収紙幣収納部、第３金種紙幣用スタッカ、顧客用操作口部のいずれかから１枚ずつ繰り出し、あるいはそのリジェクト紙幣を補充回収紙幣収納部、第３金種紙幣用スタッカ、顧客操作口部のいずれかへ移しかえた後そこから１枚ずつ繰り出し、紙幣搬送路へ送って紙幣識別手段で再識別し、正規の金種紙幣は各処理に対応する補充回収紙幣収納部、第１金種紙幣用スタッカ、第２金種紙幣用スタッカへ送るとともに、再度リジェクト紙幣と識別された紙幣はリジェクト紙幣収納部へ回収させることにより、リジェクト紙幣のリジェクト率が低減され、正規紙幣として有効使用可能となり、さらに、紙幣搬送路でリジェクト紙幣を正規紙幣と重複搬送することなく搬送でき、紙幣の搬送がスムーズになるとともに、専用のリジェクト紙幣一時保留部を設けることなく、補充回収紙幣収納部、第３金種紙幣用スタッカ、顧客用操作口部のいずれかを利用してリジェクト紙幣の一時保留が可能となり、小形に構成される。
【００１５】
請求項２記載の循環式紙幣入出金機は、機体の後面側に上部から下部に向けて、補充回収紙幣収納部、リジェクト紙幣収納部、紙幣の繰込みと繰出しとが可能で出金用の第１金種紙幣を収納する第１金種紙幣用スタッカ、紙幣の繰込みと繰出しとが可能で出金用の第２金種紙幣を収納する第２金種紙幣用スタッカを設け、これら補充回収紙幣収納部、リジェクト紙幣収納部、第１金種紙幣用スタッカ、第２金種紙幣用スタッカに収納される紙幣を機体の後面側から取出可能とし、機体の前面側上部域に出金紙幣の取出しが可能な出金口部機能と入金紙幣の挿入が可能な入金口部機能とを有する顧客用操作口部を設けるとともに、機体の前面側下部域に紙幣の繰込みと繰出しとが可能で入金される第３金種紙幣を収納する第３金種紙幣用スタッカを設け、補充回収紙幣収納部、リジェクト紙幣収納部、第１金種紙幣用スタッカ、第２金種紙幣用スタッカの各前面側と顧客用操作口部および第３金種紙幣用スタッカの各後面側との間の前後空間域、および顧客用操作口部の下方で第３金種紙幣用スタッカの上方の上下空間域に、紙幣を搬送する搬送手段および紙幣を識別する紙幣識別手段を有する正逆搬送可能な紙幣搬送路を配置し、この紙幣搬送路には、紙幣識別手段が配置されるループ状搬送部、このループ状搬送部からループ外へ延びる複数の外方通路部、ループ状搬送部および各外方通路部の接続部に配置される複数の分岐手段を設け、紙幣の補充処理、入金処理、出金処理、締回収処理を制御する制御部を具備し、制御部は、出金処理時、補充処理時、締回収処理時において、各処理に応じて、第１金種紙幣用スタッカ、第２金種紙幣用スタッカ、第３金紙紙幣用スタッカ、補充回収紙幣収納部から紙幣を１枚ずつ繰り出し紙幣搬送路へ送って紙幣識別手段で識別し、正規の金種紙幣は、各処理に対応する顧客用操作口部、第１金種紙幣用スタッカ、第２金種紙幣用スタッカ、補充回収紙幣収納部へ送るとともに、リジェクト紙幣は、各処理に対応して紙幣搬送路により正規紙幣とは重複搬送することなく搬送して送り込み可能な補充回収紙幣収納部、第３金種紙幣用スタッカ、顧客用操作口部のいずれかへ送り込み、各処理完了後、各処理における各金種毎の処理完了後、あるいはリジェクト紙幣の量が所定量になったときのいずれかで、リジェクト紙幣を補充回収紙幣収納部、第３金種紙幣用スタッカ、顧客用操作口部のいずれかから１枚ずつ繰り出し、あるいはそのリジェクト紙幣を補充回収紙幣収納部、第３金種紙幣用スタッカ、顧客操作口部のいずれかへ移しかえた後そこから１枚ずつ繰り出し、紙幣搬送路へ送って紙幣識別手段で再識別し、正規の金種紙幣は各処理に対応する補充回収紙幣収納部、第１金種紙幣用スタッカ、第２金種紙幣用スタッカへ送るとともに、再度リジェクト紙幣と識別された紙幣はリジェクト紙幣収納部へ回収させるものである。
【００１６】
そして、出金処理時、補充処理時、締回収処理時において、リジェクト紙幣は、各処理に対応して紙幣搬送路により正規紙幣とは重複搬送することなく搬送して送り込み可能な補充回収紙幣収納部、第３金種紙幣用スタッカ、顧客用操作口部のいずれかへ送り込み、各処理完了後、各処理における各金種毎の処理完了後、あるいはリジェクト紙幣の量が所定量になったときのいずれかで、リジェクト紙幣を補充回収紙幣収納部、第３金種紙幣用スタッカ、顧客用操作口部のいずれかから１枚ずつ繰り出し、あるいはそのリジェクト紙幣を補充回収紙幣収納部、第３金種紙幣用スタッカ、顧客操作口部のいずれかへ移しかえた後そこから１枚ずつ繰り出し、紙幣搬送路へ送って紙幣識別手段で再識別し、正規の金種紙幣は各処理に対応する補充回収紙幣収納部、第１金種紙幣用スタッカ、第２金種紙幣用スタッカへ送るとともに、再度リジェクト紙幣と識別された紙幣はリジェクト紙幣収納部へ回収させることにより、リジェクト紙幣のリジェクト率が低減され、正規紙幣として有効使用可能となり、さらに、紙幣搬送路でリジェクト紙幣を正規紙幣と重複搬送することなく搬送でき、紙幣の搬送がスムーズになるとともに、専用のリジェクト紙幣一時保留部を設けることなく、補充回収紙幣収納部、第３金種紙幣用スタッカ、顧客用操作口部のいずれかを利用してリジェクト紙幣の一時保留が可能となり、小形に構成される。また、機体の前面側は顧客が操作する顧客用操作面として構成され、機体の後面側は係員が補充回収紙幣収納部、リジェクト紙幣収納部、第１金種紙幣用スタッカ、第２金種紙幣用スタッカなどを操作する係員用操作面として構成され、顧客用操作面と係員用操作面とが機体の前面側と後面側とに区分され、紙幣の補充処理、入金処理、出金処理、締回収処理の操作性が向上する。
【００１７】
請求項３記載の循環式紙幣入出金機は、機体の後面側に上部から下部に向けて、補充回収紙幣収納部、リジェクト紙幣収納部、紙幣の繰込みと繰出しとが可能で出金用の第１金種紙幣を収納する第１金種紙幣用スタッカ、紙幣の繰込みと繰出しとが可能で出金用の第２金種紙幣を収納する第２金種紙幣用スタッカを設け、これら補充回収紙幣収納部、リジェクト紙幣収納部、第１金種紙幣用スタッカ、第２金種紙幣用スタッカに収納される紙幣を機体の後面側から取出可能とし、機体の前面側上部域に出金紙幣の取出しが可能な出金口部機能と入金紙幣の挿入が可能な入金口部機能とを有する顧客用操作口部を設けるとともに、機体の前面側下部域に紙幣の繰込みと繰出しとが可能で入金される第３金種紙幣を収納する第３金種紙幣用スタッカを設け、補充回収紙幣収納部、リジェクト紙幣収納部、第１金種紙幣用スタッカ、第２金種紙幣用スタッカの各前面側と顧客用操作口部および第３金種紙幣用スタッカの各後面側との間の前後空間域、および顧客用操作口部の下方で第３金種紙幣用スタッカの上方の上下空間域に、紙幣を搬送する搬送手段および紙幣を識別する紙幣識別手段を有する正逆搬送可能な紙幣搬送路を配置し、この紙幣搬送路には、紙幣識別手段が配置されるループ状搬送部、このループ状搬送部からループ外へ延びる複数の外方通路部、ループ状搬送部および各外方通路部の接続部に配置される複数の分岐手段を設け、紙幣の補充処理、入金処理、出金処理、締回収処理を制御する制御部を具備し、制御部は、出金処理時において、出金金種に対応する第１金種紙幣用スタッカおよび第２金種紙幣用スタッカから紙幣を１枚ずつ繰り出し紙幣搬送路へ送って紙幣識別手段で識別し、正規の金種紙幣は、顧客用操作口部へ送るとともに、リジェクト紙幣は、紙幣搬送路により正規紙幣とは重複搬送することなく搬送して送り込み可能な補充回収紙幣収納部へ送り込み、出金処理完了後に、リジェクト紙幣を補充回収紙幣収納部から１枚ずつ繰り出し紙幣搬送路へ送って紙幣識別手段で再識別し、正規の金種紙幣は収納金種に対応する第１金種紙幣用スタッカおよび第２金種紙幣用スタッカへ送るとともに、再度リジェクト紙幣と識別された紙幣はリジェクト紙幣収納部へ回収させるものである。
【００１８】
そして、出金処理時において、リジェクト紙幣は、紙幣搬送路により正規紙幣とは重複搬送することなく搬送して送り込み可能な補充回収紙幣収納部へ送り込み、出金処理完了後に、リジェクト紙幣を補充回収紙幣収納部から１枚ずつ繰り出し紙幣搬送路へ送って紙幣識別手段で再識別し、正規の金種紙幣は収納金種に対応する第１金種紙幣用スタッカおよび第２金種紙幣用スタッカへ送るとともに、再度リジェクト紙幣と識別された紙幣はリジェクト紙幣収納部へ回収させることにより、出金処理時のリジェクト紙幣のリジェクト率が低減され、正規紙幣として有効使用可能となり、さらに、紙幣搬送路でリジェクト紙幣を正規紙幣と重複搬送することなく搬送でき、紙幣の搬送がスムーズになるとともに、専用のリジェクト紙幣一時保留部を設けることなく、補充回収紙幣収納部を利用してリジェクト紙幣の一時保留が可能となり、小形に構成される。また、機体の前面側は顧客が操作できる顧客用操作面として構成され、機体の後面側は係員が補充回収紙幣収納部、リジェクト紙幣収納部、第１金種紙幣用スタッカ、第２金種紙幣用スタッカなどを操作できる係員用操作面として構成され、顧客用操作面と係員用操作面とが機体の前面側と後面側とに区分され、紙幣の補充処理、入金処理、出金処理、締回収処理の操作性が向上する。
【００１９】
請求項４記載の循環式紙幣入出金機は、機体の後面側に上部から下部に向けて、補充回収紙幣収納部、リジェクト紙幣収納部、紙幣の繰込みと繰出しとが可能で出金用の第１金種紙幣を収納する第１金種紙幣用スタッカ、紙幣の繰込みと繰出しとが可能で出金用の第２金種紙幣を収納する第２金種紙幣用スタッカを設け、これら補充回収紙幣収納部、リジェクト紙幣収納部、第１金種紙幣用スタッカ、第２金種紙幣用スタッカに収納される紙幣を機体の後面側から取出可能とし、機体の前面側上部域に出金紙幣の取出しが可能な出金口部機能と入金紙幣の挿入が可能な入金口部機能とを有する顧客用操作口部を設けるとともに、機体の前面側下部域に紙幣の繰込みと繰出しとが可能で入金される第３金種紙幣を収納する第３金種紙幣用スタッカを設け、補充回収紙幣収納部、リジェクト紙幣収納部、第１金種紙幣用スタッカ、第２金種紙幣用スタッカの各前面側と顧客用操作口部および第３金種紙幣用スタッカの各後面側との間の前後空間域、および顧客用操作口部の下方で第３金種紙幣用スタッカの上方の上下空間域に、紙幣を搬送する搬送手段および紙幣を識別する紙幣識別手段を有する正逆搬送可能な紙幣搬送路を配置し、この紙幣搬送路には、紙幣識別手段が配置されるループ状搬送部、このループ状搬送部からループ外へ延びる複数の外方通路部、ループ状搬送部および各外方通路部の接続部に配置される複数の分岐手段を設け、紙幣の補充処理、入金処理、出金処理、締回収処理を制御する制御部を具備し、制御部は、補充処理時において、補充回収紙幣収納部から紙幣を繰り出し紙幣搬送路へ送って紙幣識別手段で識別し、正規の金種紙幣は、収納金種に対応する第１金種紙幣用スタッカおよび第２金種紙幣用スタッカへ送るとともに、リジェクト紙幣は、紙幣搬送路により正規紙幣とは重複搬送することなく搬送して送り込み可能な第３金種紙幣用スタッカへ送り込み、補充処理完了後、各処理における各金種毎の処理完了後、あるいはリジェクト紙幣の量が所定量になったときに、リジェクト紙幣を第３金種紙幣用スタッカから１枚ずつ繰り出し紙幣搬送路へ送って紙幣識別手段で再識別し、正規の金種紙幣は収納金種に対応する第１金種紙幣用スタッカおよび第２金種紙幣用スタッカへ送るとともに、再度リジェクト紙幣と識別された紙幣はリジェクト紙幣収納部へ回収させるものである。
【００２０】
そして、補充処理時において、リジェクト紙幣は、紙幣搬送路により正規紙幣とは重複搬送することなく搬送して送り込み可能な第３金種紙幣用スタッカへ送り込み、補充処理完了後、各処理における各金種毎の処理完了後、あるいはリジェクト紙幣の量が所定量になったときに、リジェクト紙幣を第３金種紙幣用スタッカから１枚ずつ繰り出し紙幣搬送路へ送って紙幣識別手段で再識別し、正規の金種紙幣は収納金種に対応する第１金種紙幣用スタッカおよび第２金種紙幣用スタッカへ送るとともに、再度リジェクト紙幣と識別された紙幣はリジェクト紙幣収納部へ回収させることにより、補充処理時のリジェクト紙幣のリジェクト率が低減され、正規紙幣として有効使用可能となり、さらに、紙幣搬送路でリジェクト紙幣を正規紙幣と重複搬送することなく搬送でき、紙幣の搬送がスムーズになるとともに、専用のリジェクト紙幣一時保留部を設けることなく、第３金種紙幣用スタッカを利用してリジェクト紙幣の一時保留が可能となり、小形に構成される。また、機体の前面側は顧客が操作できる顧客用操作面として構成され、機体の後面側は係員が補充回収紙幣収納部、リジェクト紙幣収納部、第１金種紙幣用スタッカ、第２金種紙幣用スタッカなどを操作できる係員用操作面として構成され、顧客用操作面と係員用操作面とが機体の前面側と後面側とに区分され、紙幣の補充処理、入金処理、出金処理、締回収処理の操作性が向上する。
【００２１】
請求項５記載の循環式紙幣入出金機は、機体の後面側に上部から下部に向けて、補充回収紙幣収納部、リジェクト紙幣収納部、紙幣の繰込みと繰出しとが可能で出金用の第１金種紙幣を収納する第１金種紙幣用スタッカ、紙幣の繰込みと繰出しとが可能で出金用の第２金種紙幣を収納する第２金種紙幣用スタッカを設け、これら補充回収紙幣収納部、リジェクト紙幣収納部、第１金種紙幣用スタッカ、第２金種紙幣用スタッカに収納される紙幣を機体の後面側から取出可能とし、機体の前面側上部域に出金紙幣の取出しが可能な出金口部機能と入金紙幣の挿入が可能な入金口部機能とを有する顧客用操作口部を設けるとともに、機体の前面側下部域に紙幣の繰込みと繰出しとが可能で入金される第３金種紙幣を収納する第３金種紙幣用スタッカを設け、補充回収紙幣収納部、リジェクト紙幣収納部、第１金種紙幣用スタッカ、第２金種紙幣用スタッカの各前面側と顧客用操作口部および第３金種紙幣用スタッカの各後面側との間の前後空間域、および顧客用操作口部の下方で第３金種紙幣用スタッカの上方の上下空間域に、紙幣を搬送する搬送手段および紙幣を識別する紙幣識別手段を有する正逆搬送可能な紙幣搬送路を配置し、この紙幣搬送路には、紙幣識別手段が配置されるループ状搬送部、このループ状搬送部からループ外へ延びる複数の外方通路部、ループ状搬送部および各外方通路部の接続部に配置される複数の分岐手段を設け、紙幣の補充処理、入金処理、出金処理、締回収処理を制御する制御部を具備し、制御部は、締回収処理時において、第１金種紙幣用スタッカおよび第２金種紙幣用スタッカのうちの一方から紙幣を１枚ずつ繰り出し紙幣搬送路へ送って紙幣識別手段で識別し、正規の金種紙幣は補充回収紙幣収納部へ回収するとともに、リジェクト紙幣は紙幣搬送路により正規紙幣とは重複搬送することなく搬送して送り込み可能な顧客用操作口部へ一時保留し、繰出中の一方のスタッカを空にする第１制御ステップと、第１制御ステップに続いて、第１金種紙幣用スタッカおよび第２金種紙幣用スタッカのうちの他方から紙幣を１枚ずつ繰り出し紙幣搬送路へ送って紙幣識別手段で識別し、正規の金種紙幣は前回空になった一方のスタッカへ回収するとともに、リジェクト紙幣は紙幣搬送路により正規紙幣とは重複搬送することなく搬送して送り込み可能な顧客用操作口部へ一時保留し、繰出中の他方のスタッカを空にする第２制御ステップと、第２制御ステップに続いて、第３金種紙幣用スタッカの紙幣を１枚ずつ繰り出し紙幣搬送路へ送って紙幣識別手段で識別し、正規の金種紙幣は前回空になった他方のスタッカへ回収するとともに、リジェクト紙幣は紙幣搬送路により正規紙幣とは重複搬送することなく搬送して送り込み可能な顧客用操作口部へ一時保留し、繰出中の第３金種紙幣用スタッカを空にする第３制御ステップと、全金種の締回収処理完了後、各金種毎の締回収処理完了後、あるいはリジェクト紙幣の量が所定量になったときのいずれかで、リジェクト紙幣を顧客用操作口部から繰り出し、空の第３金種紙幣用スタッカへ移しかえ、この第３金種紙幣用スタッカからリジェクト紙幣を１枚ずつ繰り出し紙幣搬送路へ送って紙幣識別手段で再識別し、正規の金種紙幣は対応する金種紙幣を回収した補充回収紙幣収納部、第１金種紙幣用スタッカおよび第２金種紙幣用スタッカへ回収し、再度リジェクト紙幣と識別されたリジェクト紙幣はリジェクト紙幣収納部へ回収する第４制御ステップとを備え、第１、第２、第３、第４の各制御ステップを通じて、第１金種紙幣、第２金種紙幣、第３金種紙幣は識別計数後に金種別に補充回収紙幣収納部、第１金種紙幣用スタッカおよび第２金種紙幣用スタッカへ回収し、リジェクト紙幣はリジェクト紙幣収納部へ回収させるものである。
【００２２】
そして、締回収処理時において、リジェクト紙幣は、顧客用操作口部へ一時保留し、全金種の締回収処理完了後、各金種毎の締回収処理完了後、あるいはリジェクト紙幣の量が所定量になったときのいずれかで、リジェクト紙幣を顧客用操作口部から繰り出し、空の第３金種紙幣用スタッカへ移しかえ、この第３金種紙幣用スタッカからリジェクト紙幣を１枚ずつ繰り出し紙幣搬送路へ送って紙幣識別手段で再識別し、正規の金種紙幣は対応する金種紙幣を回収した補充回収紙幣収納部、第１金種紙幣用スタッカおよび第２金種紙幣用スタッカへ回収し、再度リジェクト紙幣と識別されたリジェクト紙幣はリジェクト紙幣収納部へ回収させることにより、締回収処理時のリジェクト紙幣のリジェクト率が低減され、正規紙幣として有効使用可能となり、さらに、紙幣搬送路でリジェクト紙幣を正規紙幣と重複搬送することなく搬送でき、紙幣の搬送がスムーズになるとともに、専用のリジェクト紙幣一時保留部を設けることなく、顧客用操作口部を利用してリジェクト紙幣の一時保留が可能となり、小形に構成される。また、機体の前面側は顧客が操作できる顧客用操作面として構成され、機体の後面側は係員が補充回収紙幣収納部、リジェクト紙幣収納部、第１金種紙幣用スタッカ、第２金種紙幣用スタッカなどを操作できる係員用操作面として構成され、顧客用操作面と係員用操作面とが機体の前面側と後面側とに区分され、紙幣の補充処理、入金処理、出金処理、締回収処理の操作性が向上される。
【００２３】
請求項６記載の循環式紙幣入出金機は、機体の後面側に上部から下部に向けて、取忘れ紙幣収納部、補充回収紙幣収納部、リジェクト紙幣収納部、紙幣の繰込みと繰出しとが可能で出金用の第１金種紙幣を収納する第１金種紙幣用スタッカ、紙幣の繰込みと繰出しとが可能で出金用の第２金種紙幣を収納する第２金種紙幣用スタッカを設け、機体の前面側上部域に出金紙幣の取出しが可能な出金口部機能と入金紙幣の挿入が可能な入金口部機能とを有する顧客用操作口部を設けるとともに、機体の前面側下部域に紙幣の繰込みと繰出しとが可能で入金される第３金種紙幣および第４金種紙幣を収納する２金種混在収納用スタッカを設け、取忘れ紙幣収納部、補充回収紙幣収納部、リジェクト紙幣収納部、第１金種紙幣用スタッカ、第２金種紙幣用スタッカの各前面側と顧客用操作口部および２金種混在収納用スタッカの各後面側との間の前後空間域、および顧客用操作口部の下方で２金種混在収納用スタッカの上方の上下空間域に、紙幣を搬送する搬送手段および紙幣を識別する紙幣識別手段を有する正逆搬送可能な紙幣搬送路を配置し、この紙幣搬送路には、紙幣識別手段が配置されるループ状搬送部、このループ状搬送部からループ外へ延びる複数の外方通路部、ループ状搬送部および各外方通路部の接続部に配置される複数の分岐手段を設け、紙幣の補充処理、入金処理、出金処理、締回収処理を制御する制御部を具備し、制御部は、締回収処理時において、第１金種紙幣用スタッカから紙幣を１枚ずつ繰り出し紙幣搬送路へ送って紙幣識別手段で識別し、正規の金種紙幣は補充回収紙幣収納部へ回収するとともに、リジェクト紙幣は紙幣搬送路により正規紙幣とは重複搬送することなく搬送して送り込み可能な顧客用操作口部へ一時保留し、繰出中の第１金種紙幣用スタッカを空にする第１制御ステップと、第１制御ステップに続いて、第２金種紙幣用スタッカから紙幣を１枚ずつ繰り出し紙幣搬送路へ送って紙幣識別手段で識別し、正規の金種紙幣は前回空になった第１金種紙幣用スタッカへ回収するとともに、リジェクト紙幣は紙幣搬送路により正規紙幣とは重複搬送することなく搬送して送り込み可能な顧客用操作口部へ一時保留し、繰出中の第２金種紙幣用スタッカを空にする第２制御ステップと、第２制御ステップに続いて、２金種混在収納用スタッカの紙幣を１枚ずつ繰り出し紙幣搬送路へ送って紙幣識別手段で識別し、正規の第３金種紙幣は前回空になった第２金種紙幣用スタッカへ、正規の第４金種紙幣は取忘れ紙幣収納部へ回収するとともに、リジェクト紙幣は紙幣搬送路により正規紙幣とは重複搬送することなく搬送して送り込み可能な顧客用操作口部へ一時保留し、繰出中の２金種混在収納用スタッカを空にする第３制御ステップと、全金種の締回収処理完了後、各金種毎の締回収処理完了後、あるいはリジェクト紙幣の量が所定量になったときのいずれかで、リジェクト紙幣を顧客用操作口部から繰り出し、空の２金種混在収納用スタッカへ移しかえ、この２金種混在収納用スタッカからリジェクト紙幣を１枚ずつ繰り出し紙幣搬送路へ送って紙幣識別手段で再識別し、正規の金種紙幣は対応する金種紙幣を回収する補充回収紙幣収納部、第１金種紙幣用スタッカ、第２金種紙幣用スタッカ、取忘れ紙幣収納部へ回収し、再度リジェクト紙幣と識別されたリジェクト紙幣はリジェクト紙幣収納部へ回収する第４制御ステップとを備え、第１、第２、第３、第４の各制御ステップを通じて、第１金種紙幣、第２金種紙幣、第３金種紙幣、第４金種紙幣は識別計数後に金種別に補充回収紙幣収納部、第１金種紙幣用スタッカ、第２金種紙幣用スタッカ、取忘れ紙幣収納部へ回収し、リジェクト紙幣はリジェクト紙幣収納部へ回収させるものである。
【００２４】
そして、締回収処理時において、リジェクト紙幣は、顧客用操作口部へ一時保留し、全金種の締回収処理完了後、各金種毎の締回収処理完了後、あるいはリジェクト紙幣の量が所定量になったときのいずれかで、リジェクト紙幣を顧客用操作口部から繰り出し、空の２金種混在収納用スタッカへ移しかえ、この２金種混在収納用スタッカからリジェクト紙幣を１枚ずつ繰り出し紙幣搬送路へ送って紙幣識別手段で再識別し、正規の金種紙幣は対応する金種紙幣を回収した補充回収紙幣収納部、第１金種紙幣用スタッカ、第２金種紙幣用スタッカ、取忘れ紙幣収納部へ回収し、再度リジェクト紙幣と識別されたリジェクト紙幣はリジェクト紙幣収納部へ回収させることにより、締回収処理時のリジェクト紙幣のリジェクト率が低減され、正規紙幣として有効使用可能となり、さらに、紙幣搬送路でリジェクト紙幣を正規紙幣と重複搬送することなく搬送でき、紙幣の搬送がスムーズになるとともに、専用のリジェクト紙幣一時保留部を設けることなく、顧客用操作口部を利用してリジェクト紙幣の一時保留が可能となり、小形に構成される。また、機体の前面側は顧客が操作できる顧客用操作面として構成され、機体の後面側は係員が取忘れ紙幣収納部、補充回収紙幣収納部、リジェクト紙幣収納部、第１金種紙幣用スタッカ、第２金種紙幣用スタッカなどを操作できる係員用操作面として構成され、顧客用操作面と係員用操作面とが機体の前面側と後面側とに区分され、紙幣の補充処理、入金処理、出金処理、締回収処理の操作性が向上する。また、２金種混在収納用スタッカに第３金種紙幣と第４金種紙幣とを２金種混在収納することにより、４金種の紙幣の処理が可能となり、顧客の利便性が向上し、しかも、締回収処理時の紙幣繰出順序を、第１金種紙幣用スタッカ、第２金種紙幣用スタッカ、２金種混在収納用スタッカの順にしたことにより、紙幣搬送路で重複搬送域が生じることがなく、紙幣の搬送がスムーズになる。
【００２５】
請求項７記載の循環式紙幣入出金機は、機体の後面側に上部から下部に向けて、補充回収紙幣収納部、リジェクト紙幣収納部、紙幣の繰込みと繰出しとが可能で出金用の第１金種紙幣を収納する第１金種紙幣用スタッカ、紙幣の繰込みと繰出しとが可能で出金用の第２金種紙幣を収納する第２金種紙幣用スタッカを設け、これら補充回収紙幣収納部、リジェクト紙幣収納部、第１金種紙幣用スタッカ、第２金種紙幣用スタッカに収納される紙幣を機体の後面側から取出可能とし、機体の前面側上部域に出金紙幣の取出しが可能な出金口部機能と入金紙幣の挿入が可能な入金口部機能とを有する顧客用操作口部を設けるとともに、機体の前面側下部域に紙幣の繰込みと繰出しとが可能で入金される第３金種紙幣を収納する第３金種紙幣用スタッカを設け、補充回収紙幣収納部、リジェクト紙幣収納部、第１金種紙幣用スタッカ、第２金種紙幣用スタッカの各前面側と顧客用操作口部および第３金種紙幣用スタッカの各後面側との間の前後空間域、および顧客用操作口部の下方で第３金種紙幣用スタッカの上方の上下空間域に、紙幣を搬送する搬送手段および紙幣を識別する紙幣識別手段を有する正逆搬送可能な紙幣搬送路を配置し、この紙幣搬送路には、紙幣識別手段が配置されるループ状搬送部、このループ状搬送部からループ外へ延びる複数の外方通路部、ループ状搬送部および各外方通路部の接続部に配置される複数の分岐手段を設け、外方通路部には、ループ状搬送部と補充回収紙幣収納部とを接続する補充回収紙幣収納部用搬送部を備え、ループ状搬送部と補充回収紙幣収納部用搬送部との接続部の分岐手段には、ループ状搬送部の正方向搬送、逆方向搬送のいずれの場合もループ状搬送部の紙幣を補充回収紙幣収納部用搬送部へ送れる三方向切換機構を備え、紙幣の補充処理、入金処理、出金処理、締回収処理を制御する制御部を具備し、制御部は、締回収処理時において、第１金種紙幣用スタッカおよび第２金種紙幣用スタッカのうちの一方から紙幣を１枚ずつ繰り出し紙幣搬送路へ送って紙幣識別手段で識別し、正規の金種紙幣は補充回収紙幣収納部へ回収するとともに、リジェクト紙幣は紙幣搬送路により正規紙幣とは重複搬送することなく搬送して送り込み可能な顧客用操作口部へ一時保留し、繰出中の一方のスタッカを空にする第１制御ステップと、第１制御ステップに続いて、第１金種紙幣用スタッカおよび第２金種紙幣用スタッカのうちの他方から紙幣を１枚ずつ繰り出し紙幣搬送路へ送って紙幣識別手段で識別し、正規の金種紙幣は前回空になった一方のスタッカへ回収するとともに、リジェクト紙幣は紙幣搬送路により正規紙幣とは重複搬送することなく搬送して送り込み可能な顧客用操作口部へ一時保留し、繰出中の他方のスタッカを空にする第２制御ステップと、第２制御ステップに続いて、第３金種紙幣用スタッカの紙幣を１枚ずつ繰り出し紙幣搬送路へ送って紙幣識別手段で識別し、正規の金種紙幣は前回空になった他方のスタッカへ回収するとともに、リジェクト紙幣は紙幣搬送路により正規紙幣とは重複搬送することなく搬送して送り込み可能な顧客用操作口部へ一時保留し、繰出中の第３金種紙幣用スタッカを空にする第３制御ステップと、全金種の締回収処理完了後、各金種毎の締回収処理完了後、あるいはリジェクト紙幣の量が所定量になったときのいずれかで、リジェクト紙幣を顧客用操作口部から１枚ずつ繰り出し紙幣搬送路へ送って紙幣識別手段で再識別し、正規の金種紙幣は対応する金種紙幣を回収した補充回収紙幣収納部、第１金種紙幣用スタッカおよび第２金種紙幣用スタッカへ回収し、再度リジェクト紙幣と識別されたリジェクト紙幣はリジェクト紙幣収納部へ回収する第４制御ステップとを備え、
第１、第２、第３、第４の各制御ステップを通じて、第１金種紙幣、第２金種紙幣、第３金種紙幣は識別計数後に金種別に補充回収紙幣収納部、第１金種紙幣用スタッカおよび第２金種紙幣用スタッカへ回収し、リジェクト紙幣はリジェクト紙幣収納部へ回収させるものである。
【００２６】
そして、締回収処理時において、リジェクト紙幣は、顧客用操作口部へ一時保留し、全金種の締回収処理完了後、各金種毎の締回収処理完了後、あるいはリジェクト紙幣の量が所定量になったときのいずれかで、リジェクト紙幣を顧客用操作口部から１枚ずつ繰り出し紙幣搬送路へ送って紙幣識別手段で再識別し、正規の金種紙幣は対応する金種紙幣を回収した補充回収紙幣収納部、第１金種紙幣用スタッカおよび第２金種紙幣用スタッカへ回収し、再度リジェクト紙幣と識別されたリジェクト紙幣はリジェクト紙幣収納部へ回収させることにより、締回収処理時のリジェクト紙幣のリジェクト率が低減され、正規紙幣として有効使用可能となり、さらに、紙幣搬送路でリジェクト紙幣を正規紙幣と重複搬送することなく搬送でき、紙幣の搬送がスムーズになるとともに、専用のリジェクト紙幣一時保留部を設けることなく、顧客用操作口部を利用してリジェクト紙幣の一時保留が可能となり、小形に構成される。また、機体の前面側は顧客が操作できる顧客用操作面として構成され、機体の後面側は係員が補充回収紙幣収納部、リジェクト紙幣収納部、第１金種紙幣用スタッカ、第２金種紙幣用スタッカなどを操作できる係員用操作面として構成され、顧客用操作面と係員用操作面とが機体の前面側と後面側とに区分され、紙幣の補充処理、入金処理、出金処理、締回収処理の操作性が向上される。また、リジェクト紙幣を顧客操作口部から第３金種紙幣用スタッカへ移しかえる場合に比べて、そのリジェクト紙幣の移しかえの必要がないので、リジェクト紙幣の再識別がより効率的にできる。
【発明の効果】
【００２７】
請求項１記載の循環式紙幣入出金機によれば、出金処理時、補充処理時、締回収処理時において、リジェクト紙幣は、各処理に対応して紙幣搬送路により正規紙幣とは重複搬送することなく搬送して送り込み可能な補充回収紙幣収納部、第３金種紙幣用スタッカ、顧客用操作口部のいずれかへ送り込み、各処理完了後、各処理における各金種毎の処理完了後、あるいはリジェクト紙幣の量が所定量になったときのいずれかで、リジェクト紙幣を補充回収紙幣収納部、第３金種紙幣用スタッカ、顧客用操作口部のいずれかから１枚ずつ繰り出し、あるいはそのリジェクト紙幣を補充回収紙幣収納部、第３金種紙幣用スタッカ、顧客操作口部のいずれかへ移しかえた後そこから１枚ずつ繰り出し、紙幣搬送路へ送って紙幣識別手段で再識別し、正規の金種紙幣は各処理に対応する補充回収紙幣収納部、第１金種紙幣用スタッカ、第２金種紙幣用スタッカへ送るとともに、再度リジェクト紙幣と識別された紙幣はリジェクト紙幣収納部へ回収させることにより、リジェクト紙幣のリジェクト率を低減し、正規紙幣として有効使用でき、さらに、紙幣搬送路でリジェクト紙幣を正規紙幣と重複搬送することなく搬送でき、紙幣の搬送をスムーズにできるとともに、専用のリジェクト紙幣一時保留部を設けることなく、補充回収紙幣収納部、第３金種紙幣用スタッカ、顧客用操作口部のいずれかを利用してリジェクト紙幣を一時保留でき、小形に構成できる。
【００２８】
請求項２記載の循環式紙幣入出金機によれば、出金処理時、補充処理時、締回収処理時において、リジェクト紙幣は、各処理に対応して紙幣搬送路により正規紙幣とは重複搬送することなく搬送して送り込み可能な補充回収紙幣収納部、第３金種紙幣用スタッカ、顧客用操作口部のいずれかへ送り込み、各処理完了後、各処理における各金種毎の処理完了後、あるいはリジェクト紙幣の量が所定量になったときのいずれかで、リジェクト紙幣を補充回収紙幣収納部、第３金種紙幣用スタッカ、顧客用操作口部のいずれかから１枚ずつ繰り出し、あるいはそのリジェクト紙幣を補充回収紙幣収納部、第３金種紙幣用スタッカ、顧客操作口部のいずれかへ移しかえた後そこから１枚ずつ繰り出し、紙幣搬送路へ送って紙幣識別手段で再識別し、正規の金種紙幣は各処理に対応する補充回収紙幣収納部、第１金種紙幣用スタッカ、第２金種紙幣用スタッカへ送るとともに、再度リジェクト紙幣と識別された紙幣はリジェクト紙幣収納部へ回収させることにより、リジェクト紙幣のリジェクト率を低減し、正規紙幣として有効使用でき、さらに、紙幣搬送路でリジェクト紙幣を正規紙幣と重複搬送することなく搬送でき、紙幣の搬送をスムーズにできるとともに、専用のリジェクト紙幣一時保留部を設けることなく、補充回収紙幣収納部、第３金種紙幣用スタッカ、顧客用操作口部のいずれかを利用してリジェクト紙幣を一時保留でき、小形に構成できる。また、機体の前面側を顧客が操作できる顧客用操作面として構成でき、機体の後面側を係員が補充回収紙幣収納部、リジェクト紙幣収納部、第１金種紙幣用スタッカ、第２金種紙幣用スタッカなどを操作できる係員用操作面として構成でき、顧客用操作面と係員用操作面とが機体の前面側と後面側とに区分され、紙幣の補充処理、入金処理、出金処理、締回収処理の操作性を向上できる。
【００２９】
請求項３記載の循環式紙幣入出金機によれば、出金処理時において、リジェクト紙幣は、紙幣搬送路により正規紙幣とは重複搬送することなく搬送して送り込み可能な補充回収紙幣収納部へ送り込み、出金処理完了後に、リジェクト紙幣を補充回収紙幣収納部から１枚ずつ繰り出し紙幣搬送路へ送って紙幣識別手段で再識別し、正規の金種紙幣は収納金種に対応する第１金種紙幣用スタッカおよび第２金種紙幣用スタッカへ送るとともに、再度リジェクト紙幣と識別された紙幣はリジェクト紙幣収納部へ回収させることにより、出金処理時のリジェクト紙幣のリジェクト率を低減し、正規紙幣として有効使用でき、さらに、紙幣搬送路でリジェクト紙幣を正規紙幣と重複搬送することなく搬送でき、紙幣の搬送をスムーズにできるとともに、専用のリジェクト紙幣一時保留部を設けることなく、補充回収紙幣収納部を利用してリジェクト紙幣を一時保留でき、小形に構成できる。また、機体の前面側を顧客が操作できる顧客用操作面として構成でき、機体の後面側を係員が補充回収紙幣収納部、リジェクト紙幣収納部、第１金種紙幣用スタッカ、第２金種紙幣用スタッカなどを操作できる係員用操作面として構成でき、顧客用操作面と係員用操作面とが機体の前面側と後面側とに区分され、紙幣の補充処理、入金処理、出金処理、締回収処理の操作性を向上できる。
【００３０】
請求項４記載の循環式紙幣入出金機によれば、補充処理時において、リジェクト紙幣は、紙幣搬送路により正規紙幣とは重複搬送することなく搬送して送り込み可能な第３金種紙幣用スタッカへ送り込み、補充処理完了後、各処理における各金種毎の処理完了後、あるいはリジェクト紙幣の量が所定量になったときに、リジェクト紙幣を第３金種紙幣用スタッカから１枚ずつ繰り出し紙幣搬送路へ送って紙幣識別手段で再識別し、正規の金種紙幣は収納金種に対応する第１金種紙幣用スタッカおよび第２金種紙幣用スタッカへ送るとともに、再度リジェクト紙幣と識別された紙幣はリジェクト紙幣収納部へ回収させることにより、補充処理時のリジェクト紙幣のリジェクト率を低減し、正規紙幣として有効使用でき、さらに、紙幣搬送路でリジェクト紙幣を正規紙幣と重複搬送することなく搬送でき、紙幣の搬送をスムーズにできるとともに、専用のリジェクト紙幣一時保留部を設けることなく、第３金種紙幣用スタッカを利用してリジェクト紙幣を一時保留でき、小形に構成できる。また、機体の前面側を顧客が操作できる顧客用操作面として構成でき、機体の後面側を係員が補充回収紙幣収納部、リジェクト紙幣収納部、第１金種紙幣用スタッカ、第２金種紙幣用スタッカなどを操作できる係員用操作面として構成でき、顧客用操作面と係員用操作面とが機体の前面側と後面側とに区分され、紙幣の補充処理、入金処理、出金処理、締回収処理の操作性を向上できる。
【００３１】
請求項５記載の循環式紙幣入出金機によれば、締回収処理時において、リジェクト紙幣は、顧客用操作口部へ一時保留し、全金種の締回収処理完了後、各金種毎の締回収処理完了後、あるいはリジェクト紙幣の量が所定量になったときのいずれかで、リジェクト紙幣を顧客用操作口部から繰り出し、空の第３金種紙幣用スタッカへ移しかえ、この第３金種紙幣用スタッカからリジェクト紙幣を１枚ずつ繰り出し紙幣搬送路へ送って紙幣識別手段で再識別し、正規の金種紙幣は対応する金種紙幣を回収した補充回収紙幣収納部、第１金種紙幣用スタッカおよび第２金種紙幣用スタッカへ回収し、再度リジェクト紙幣と識別されたリジェクト紙幣はリジェクト紙幣収納部へ回収させることにより、締回収処理時のリジェクト紙幣のリジェクト率を低減し、正規紙幣として有効使用でき、さらに、紙幣搬送路でリジェクト紙幣を正規紙幣と重複搬送することなく搬送でき、紙幣の搬送をスムーズにできるとともに、専用のリジェクト紙幣一時保留部を設けることなく、顧客用操作口部を利用してリジェクト紙幣を一時保留でき、小形に構成できる。また、機体の前面側を顧客が操作できる顧客用操作面として構成でき、機体の後面側を係員が補充回収紙幣収納部、リジェクト紙幣収納部、第１金種紙幣用スタッカ、第２金種紙幣用スタッカなどを操作できる係員用操作面として構成でき、顧客用操作面と係員用操作面とが機体の前面側と後面側とに区分され、紙幣の補充処理、入金処理、出金処理、締回収処理の操作性を向上できる。
【００３２】
請求項６記載の循環式紙幣入出金機によれば、締回収処理時において、リジェクト紙幣は、顧客用操作口部へ一時保留し、全金種の締回収処理完了後、各金種毎の締回収処理完了後、あるいはリジェクト紙幣の量が所定量になったときのいずれかで、リジェクト紙幣を顧客用操作口部から繰り出し、空の２金種混在収納用スタッカへ移しかえ、この２金種混在収納用スタッカからリジェクト紙幣を１枚ずつ繰り出し紙幣搬送路へ送って紙幣識別手段で再識別し、正規の金種紙幣は対応する金種紙幣を回収した補充回収紙幣収納部、第１金種紙幣用スタッカ、第２金種紙幣用スタッカ、取忘れ紙幣収納部へ回収し、再度リジェクト紙幣と識別されたリジェクト紙幣はリジェクト紙幣収納部へ回収させることにより、締回収処理時のリジェクト紙幣のリジェクト率を低減し、正規紙幣として有効使用でき、さらに、紙幣搬送路でリジェクト紙幣を正規紙幣と重複搬送することなく搬送でき、紙幣の搬送をスムーズにできるとともに、専用のリジェクト紙幣一時保留部を設けることなく、顧客用操作口部を利用してリジェクト紙幣を一時保留でき、小形に構成できる。また、機体の前面側を顧客が操作できる顧客用操作面として構成でき、機体の後面側を係員が取忘れ紙幣収納部、補充回収紙幣収納部、リジェクト紙幣収納部、第１金種紙幣用スタッカ、第２金種紙幣用スタッカなどを操作できる係員用操作面として構成でき、顧客用操作面と係員用操作面とが機体の前面側と後面側とに区分され、紙幣の補充処理、入金処理、出金処理、締回収処理の操作性を向上できる。また、２金種混在収納用スタッカに第３金種紙幣と第４金種紙幣とを２金種混在収納することにより、４金種の紙幣を処理でき、顧客の利便性を向上でき、しかも、締回収処理時の紙幣繰出順序を、第１金種紙幣用スタッカ、第２金種紙幣用スタッカ、２金種混在収納用スタッカの順にしたことにより、紙幣搬送路で重複搬送域が生じることがなく、紙幣の搬送をスムーズにできる。
【００３３】
請求項７記載の循環式紙幣入出金機によれば、締回収処理時において、リジェクト紙幣は、顧客用操作口部へ一時保留し、全金種の締回収処理完了後、各金種毎の締回収処理完了後、あるいはリジェクト紙幣の量が所定量になったときのいずれかで、リジェクト紙幣を顧客用操作口部から１枚ずつ繰り出し紙幣搬送路へ送って紙幣識別手段で再識別し、正規の金種紙幣は対応する金種紙幣を回収した補充回収紙幣収納部、第１金種紙幣用スタッカおよび第２金種紙幣用スタッカへ回収し、再度リジェクト紙幣と識別されたリジェクト紙幣はリジェクト紙幣収納部へ回収させることにより、締回収処理時のリジェクト紙幣のリジェクト率を低減し、正規紙幣として有効使用でき、さらに、紙幣搬送路でリジェクト紙幣を正規紙幣と重複搬送することなく搬送でき、紙幣の搬送をスムーズにできるとともに、専用のリジェクト紙幣一時保留部を設けることなく、顧客用操作口部を利用してリジェクト紙幣を一時保留でき、小形に構成できる。また、機体の前面側を顧客が操作できる顧客用操作面として構成でき、機体の後面側を係員が補充回収紙幣収納部、リジェクト紙幣収納部、第１金種紙幣用スタッカ、第２金種紙幣用スタッカなどを操作できる係員用操作面として構成でき、顧客用操作面と係員用操作面とが機体の前面側と後面側とに区分され、紙幣の補充処理、入金処理、出金処理、締回収処理の操作性を向上できる。また、リジェクト紙幣を顧客操作口部から第３金種紙幣用スタッカへ移しかえる場合に比べて、そのリジェクト紙幣の移しかえの必要がないので、リジェクト紙幣の再識別がより効率的にできる。
【発明を実施するための最良の形態】
【００３４】
以下、本発明の一実施の形態を図面を参照して説明する。
【００３５】
図１は循環式紙幣入出金機の内部構造を示す側面図であり、循環式紙幣入出金機は、機体11を有し、この機体11の前面側（図１の左側）は顧客が入金紙幣の挿入と出金紙幣の取出しなどを操作する顧客用操作面12とされ、機体11の後面側（図１の右側）は係員が紙幣の補充や回収などを操作する係員用操作面13とされている。
【００３６】
機体11の前面側である顧客用操作面12側の上部域には、出金紙幣の取出しが可能な出金口部15と入金紙幣の挿入が可能な入金口部16とを有する顧客用操作口部17が配設されている。
【００３７】
機体11の後面側である係員用操作面13側には、上部から下部に向けて、顧客が出金口部15に取り忘れた取忘れ紙幣を収納するための取忘れ紙幣収納部18、補充紙幣または回収紙幣を収納するための補充回収紙幣収納部19、リジェクト紙幣を収納するためのリジェクト紙幣収納部20、出金用の第１金種紙幣として千円紙幣を収納するための第１金種紙幣用スタッカ21、出金用の第２金種紙幣として万円紙幣を収納するための第２金種紙幣用スタッカ22が配設されている。
【００３８】
機体11の前面側である顧客用操作面12側の下部域には、入金される第３金種紙幣として五千円紙幣を収納するための第３金種紙幣用スタッカ23が配設されている。この第３金種紙幣用スタッカ23には、五千円紙幣とともに、入金される第４金種紙幣として二千円紙幣を収納可能としており、２金種混在収納用スタッカとしても構成されている。
【００３９】
機体11の内部には、取忘れ紙幣収納部18、補充回収紙幣収納部19、リジェクト紙幣収納部20、第１金種紙幣用スタッカ21、第２金種紙幣用スタッカ22の各前面側と顧客用操作口部17および第３金種紙幣用スタッカ23の各後面側との間の前後空間域、および顧客用操作口部17の下方で第３金種紙幣用スタッカ23の上方の上下空間域に、紙幣を搬送する搬送手段24および紙幣を識別する紙幣識別手段25を有する正逆搬送可能な紙幣搬送路26が配設されている。紙幣搬送路26は、紙幣を正逆搬送可能なループ状搬送部27と、このループ状搬送部27から上述した各構成へ向けてループ外へ延びる複数の外方通路部28と、ループ状搬送部27と各外方通路部28との各接続部に設けられる複数の分岐手段29とを有している。紙幣識別手段25は、ループ状搬送部27において、顧客用操作口部17の下方で第３金種紙幣用スタッカ23の上方の上下空間域に配設されている。そして、ループ状搬送部27では、補充回収紙幣収納部19、出金口部15、入金口部16、第３、第２および第１金種紙幣用スタッカ23，22，21、リジェクト紙幣収納部20の順に接続された図１反時計回り方向を紙幣の順搬送方向と呼び、この順搬送方向と逆方向である図１時計回り方向を紙幣の逆搬送方向と呼ぶ。
【００４０】
外方通路部28群は、ループ状搬送部27と補充回収紙幣収納部19とを接続する正逆搬送可能な補充回収紙幣収納部用搬送部28a、ループ状搬送部27と出金口部15とを接続する正逆搬送可能な出金搬送部28b、出金搬送部28bの途中と取忘れ紙幣収納部18とを接続する取忘れ紙幣収納部用搬送部28c、ループ状搬送部27と入金口部16とを接続する入金搬送部28d、ループ状搬送部27と第３金種紙幣用スタッカ23とを接続する正逆搬送可能な第３金種紙幣用スタッカ用搬送部28e、ループ状搬送部27と第２金種紙幣用スタッカ22とを接続する正逆搬送可能な第２金種紙幣用スタッカ用搬送部28f、ループ状搬送部27と第１金種紙幣用スタッカ21とを接続する正逆搬送可能な第１金種紙幣用スタッカ用搬送部28g、ループ状搬送部27とリジェクト紙幣収納部20とを接続する正逆搬送可能なリジェクト紙幣収納部用搬送部28hを有している。
【００４１】
分岐手段29群は、ループ状搬送部27と補充回収紙幣収納部用搬送部28aとの接続部に設けられる第１の分岐手段29a、ループ状搬送部27と出金搬送部28bとの接続部に設けられる第２の分岐手段29b、取忘れ紙幣収納部用搬送部28cと出金搬送部28bの途中位置との接続部に設けられる第３の分岐手段29c、ループ状搬送部27と入金搬送部28dとの接続部に設けられる第４の分岐手段29d、ループ状搬送部27と第３金種紙幣用スタッカ用搬送部28eとの接続部に設けられる第５の分岐手段29e、ループ状搬送部27と第２金種紙幣用スタッカ用搬送部28fとの接続部に設けられる第６の分岐手段29f、ループ状搬送部27と第１金種紙幣用スタッカ用搬送部28gとの接続部に設けられる第７の分岐手段29g、ループ状搬送部27とリジェクト紙幣収納部用搬送部28hとの接続部に設けられる第８の分岐手段29hを有している。これら分岐手段29a〜29hのうち、第１、第４、第５の分岐手段29a，29d，29eは二方向に紙幣の搬送を切換可能とする二方向切換機構を備え、第２、第３、第６、第７、第８の分岐手段29b，29c，29f，29g，29hは三方向に紙幣の搬送を切換可能とする三方向切換機構を備えている。
【００４２】
次に、図２に顧客用操作口部17を示す。この顧客用操作口部17には、機体11の顧客用操作面12の上部に、紙幣の繰込みと繰出しとが可能な出金口部15とこの出金口部15の下部位置に入金口部16とが配設されている。
【００４３】
出金口部15は、機体11の顧客用操作面12に開口された出金口35、およびこの出金口35の奥側に配設された出金紙幣一時保留部36を有している。
【００４４】
出金口35には、図示しないソレノイドにより垂直姿勢の閉鎖位置（図２の実線位置）と開放位置（図２の鎖線位置）との間で開閉するシャッタ37が設けられている。
【００４５】
出金紙幣一時保留部36は、トレー状のボックス38、このボックス38内に上下動可能に配置された支持板39、この支持板39の上方に配置されたベルト40、このベルト40との間で紙幣を挟み込んで搬送するローラ41を有し、支持板39には複数個の支持ローラ39aの一部が支持板39から上面に突出するように軸着されている。支持板39は出金口部支持板上下モータMF2（図１０、図１１参照）を用いた図示しない昇降機構により上下移動し、ベルト40は出金口部繰込繰出モータMF1（図１０、図１１参照）によって正逆回転駆動される。そして、出金搬送部28bから送り込まれる出金紙幣をボックス38内で下降状態にある支持板39上に受け取って集積し、全ての出金紙幣が送り込まれた後、支持板39を上昇させて出金紙幣をベルト40に押し当て、ベルト40の回動（正転）により出金紙幣を一括搬送して出金口35へその先端一部が手で掴める程度突出させるように繰り出す。これら支持板39、支持ローラ39a、ベルト40およびローラ41などで出金紙幣を一括搬送する紙幣一括搬送機構が構成されており、この紙幣一括搬送機構は顧客が出金口35に送り出された出金紙幣を取り忘れた場合に、ベルト40の逆転により取忘れ紙幣を取忘れ紙幣収納部18へ送り込むために出金搬送部28bに向けて繰り込む役目もする。
【００４６】
出金口部15に接続される出金搬送部28bには、出金口部15に送り込む出金紙幣を搬送するとともに出金口部15から送り出される取忘れ紙幣を取忘れ紙幣収納部18へ向けて搬送する上下対の搬送ローラ42が配置されている。
【００４７】
また、入金口部16は、機体11の顧客用操作面12に開口された入金口43、およびこの入金口43の内側に配設されて入金紙幣を一括して取り込むとともに入金搬送部28dに対して１枚ずつ繰り込む入金紙幣繰込部44を有している。
【００４８】
入金口43は、図示しないソレノイドにより上下動するシャッタ45により開閉される。
【００４９】
入金紙幣繰込部44は、入金口43に一括挿入された入金紙幣を挟み込んで取り込む上下対の取込ローラ46、これら取込ローラ46で取り込んだ入金紙幣の下面を支持する支持板47、この支持板47の上方に対向するベルト48、このベルト48の入金搬送部28d側の端部側に対向しベルト48に対して逆転するゲートローラ49およびベルト48との間に入金紙幣を挟み込んで入金搬送部28dへ向けて搬送する繰込ローラ50がそれぞれ配設されている。支持板47は入金口部支持板上下モータMH2（図１０、図１１参照）を用いた図示しない昇降機構により上下移動し、取込ローラ46、ベルト48、ゲートローラ49および繰込ローラ50は入金口部繰込モータMH1（図１０、図１１参照）によって回転駆動される。そして、入金口43に挿入された入金紙幣を取込ローラ46で下降状態にある支持板47上に取り込んだ後、支持板47を上昇させて入金紙幣をベルト48に押し当て、ベルト48の回転とゲートローラ49の逆転とによって入金紙幣を１枚ずつに分離し、１枚分離した入金紙幣をベルト48と繰込ローラ50との間に挟み込んで入金搬送部28dに繰り込む。
【００５０】
入金口部16に接続される入金搬送部28dには、入金口部16から１枚ずつ繰り込まれる入金紙幣を搬送する上下対の搬送ローラ51が配置されている。
【００５１】
次に、図３に取忘れ紙幣収納部18を示す。この取忘れ紙幣収納部18は、顧客が入金口部16に取り忘れた取忘れ紙幣を回収するとともに、締回収処理時に二千円紙幣を回収する。
【００５２】
取忘れ紙幣収納部18は、紙幣を収納するボックス55、取忘れ紙幣収納部用搬送部28cを通じてこの取忘れ紙幣収納部用搬送部28cの上下対の搬送ローラ56から送り込まれる紙幣を受け取ってボックス55内に繰り込む羽根車57を有している。この羽根車57は、羽根車モータME1（図１０、図１１参照）によって繰込方向に対応して回転駆動される。
【００５３】
機体11の係員用操作面13に対応した取忘れ紙幣収納部18の後面には、取忘れ紙幣収納部18の後面を開閉する扉体58が上端の軸59を支点として開閉可能に設けられており、この扉体58を開けて紙幣を回収可能としている。
【００５４】
次に、図４に補充回収紙幣収納部19を示す。この補充回収紙幣収納部19は、補充処理時に、出金に利用する第１金種紙幣である千円紙幣と第２金種紙幣である万円紙幣を所定枚数ずつ集積収納して１枚ずつ繰り出し、第１金種紙幣用スタッカ21および第２金種紙幣用スタッカ22へ各紙幣を補充し、また、締回収処理時に、第１金種紙幣である千円紙幣を回収する。
【００５５】
補充回収紙幣収納部19は、紙幣を収納するボックス65、このボックス65を機体11の係員用操作面13から引き出し可能に支持する引出体66、ボックス65が機体11内に装填された状態でボックス65内を上下方向に移動する支持板67、この支持板67の上方に対向するベルト68、このベルト68の補充回収紙幣収納部用搬送部28a側の端部側に対向するゲートローラ69およびベルト68との間に紙幣を挟み込んで搬送するローラ70がそれぞれ配設されている。支持板67は支持板上下モータMD1（図１０、図１１参照）を用いた図示しない昇降機構により上下移動し、ベルト68、ゲートローラ69およびローラ70は繰込繰出モータMD3（図１０、図１１参照）によって回転駆動される。ゲートローラ69は、ワンウェイクラッチを備え、このワンウェイクラッチの働きにより、補充回収紙幣収納部19からの紙幣の繰出時にベルト68に対して逆転して紙幣を１枚分離し、補充回収紙幣収納部19への紙幣の繰込時に回転せずに紙幣の繰込みを可能としている。
【００５６】
そして、補充処理時には、補充紙幣を収納したボックス65を機体11内に装填した後、支持板67を上昇させて補充紙幣をベルト68に押し当て、ベルト68の繰出回転とゲートローラ69の逆転とによって補充紙幣を１枚ずつに分離し、１枚分離した補充紙幣をベルト68とローラ70との間に挟み込んで補充回収紙幣収納部19から繰り出す。締回収処理時には、ベルト68が繰出回転とは反対方向に繰込回転し、補充回収紙幣収納部19へ送り込まれる千円紙幣をローラ70との間に挟み込んでボックス65内に繰り込んで収納する。
【００５７】
補充回収紙幣収納部19に接続される補充回収紙幣収納部用搬送部28aには、補充処理時に補充回収紙幣収納部19から繰り出される補充紙幣を搬送するとともに回収処理時に千円紙幣を補充回収紙幣収納部19に送り込む上下対の搬送ローラ71が配置されている。
【００５８】
次に、図５にリジェクト紙幣収納部20を示す。このリジェクト紙幣収納部20は、補充時のリジェクト紙幣と出金時および回収時のリジェクト紙幣とを区分けして収納する。
【００５９】
リジェクト紙幣収納部20は、リジェクト紙幣を収納するボックス75、このボックス75のリジェクト紙幣収納部用搬送部28hに連通する入口部76、ボックス75内に入口部76と反対側に配置される軸77を支点として上下に揺動する仕切板78を有し、この仕切板78の下側に補充リジェクト紙幣収納部79が形成され、仕切板78の上側に出金回収リジェクト紙幣収納部80が形成されている。仕切板78は、切換板用ソレノイドSD（図１０、図１１参照）によって上下に切換揺動する。そして、補充処理時には、仕切板78の先端を入口部76より上方に位置させて、仕切板78の下側の補充リジェクト紙幣収納部79に補充リジェクト紙幣を収納し、また、出金処理時および締回収処理時には、仕切板78の先端を入口部76より下方に位置させて、仕切板78の上側の出金回収リジェクト紙幣収納部80に出金リジェクト紙幣および回収リジェクト紙幣を収納する。
【００６０】
機体11の係員用操作面13に対応したリジェクト紙幣収納部20の後面には、リジェクト紙幣収納部20の後面を開閉する扉体81が開閉可能に設けられており、この扉体81を開けてリジェクト紙幣を回収可能としている。
【００６１】
リジェクト紙幣収納部20に接続されるリジェクト紙幣収納部用搬送部28hには、リジェクト紙幣をリジェクト紙幣収納部20に送り込む上下対の搬送ローラ82が配置されている。
【００６２】
次に、図６に第１金種紙幣用スタッカ21および第２金種紙幣用スタッカ22を示す。これら各スタッカ21，22は同一構造に形成されており、第１金種紙幣用スタッカ21は、第１金種紙幣の千円紙幣（図６には紙幣を符号Ｐで示し、以下省略する）を集積収納するとともに１枚ずつ繰り出し可能としており、かつ、締回収処理時には、第１金種紙幣用スタッカ21に万円金種を回収し、また、第２金種紙幣用スタッカ22は、第２金種紙幣の万円紙幣を集積収納するとともに１枚ずつ繰り出し可能としており、かつ、締回収処理時には、第２金種紙幣用スタッカ22に五千円紙幣を回収する。
【００６３】
各スタッカ21，22は、紙幣を収納するボックス85，85、このボックス85，85内を上下方向に移動する支持板86，86、この支持板86，86の上方に対向するベルト87，87、支持板86，86の上方に対向するとともにベルト87，87とは干渉しない位置で上下方向に移動する一時保留板88，88、ベルト87，87の第１金種紙幣用スタッカ用搬送部28gおよび第２金種紙幣用スタッカ用搬送部28f側の端部側に対向するゲートローラ89，89およびベルト87，87との間に紙幣を挟み込んで搬送するローラ90，90がそれぞれ配設されている。支持板86，86は支持板上下モータMC1，MB1（図１０、図１１参照）を用いた図示しない昇降機構により上下移動し、一時保留板88，88は一時保留板上下モータMC2，MB2（図１０参照）を用いた図示しない昇降機構により上下移動し、ベルト87，87、ゲートローラ89，89およびローラ90，90は繰込繰出モータMC3，MB3（図１０、図１１参照）によって回転駆動される。ゲートローラ89，89は、ワンウェイクラッチを備え、このワンウェイクラッチの働きにより、各スタッカ21，22からの紙幣の繰出時にベルト87，87に対して逆転して紙幣を１枚分離し、各スタッカ21，22への紙幣の繰込時に回転せずに紙幣の繰込みを可能としている。
【００６４】
そして、紙幣の繰出時には、支持板86，86を上昇させて紙幣をベルト87，87に押し当て、ベルト87，87の繰出回転とゲートローラ89，89の逆転とによって紙幣を１枚ずつに分離し、１枚分離した紙幣をベルト87，87とローラ90，90との間に挟み込んで各搬送部28g，28fに繰り出す。また、紙幣の収納時には、ベルト87，87が繰出回転とは反対方向に繰込回転し、各搬送部28g，28fから送り込まれる紙幣をローラ90，90との間に挟み込んでボックス85，85内の一時保留板88，88上に繰り込んで一時保留収納し、収納する紙幣の一時保留完了後の収納指示時に、一時保留板88，88を上昇させることにより、一時保留紙幣はベルト87，87に当接して上昇が止まるが、ベルト87，87とは干渉しない位置にある一時保留板88，88は上昇を継続して逃げるため、ベルト87，87で上昇が止められていた一時保留紙幣は支持板86，86上の収納済み紙幣に合体して収納される。
【００６５】
機体11の係員用操作面13に対応した各スタッカ21，22の後面には、各スタッカ21，22の後面を開閉する扉体91，91が開閉可能に設けられており、この扉体91，91を開けて紙幣を回収可能としている。
【００６６】
各スタッカ21，22に接続される各搬送部28g，28fには、各スタッカ21，22から繰り出される紙幣を搬送するとともに各搬送部28g，28fから各スタッカ21，22に紙幣を送り込む上下対の搬送ローラ92，93が配置されている。
【００６７】
次に、図７に第３金種紙幣用スタッカ23を示す。この第３金種紙幣用スタッカ23は、第１金種紙幣用スタッカ21および第２金種紙幣用スタッカ22と向きが反対になるとともに扉体91が設けられないだけでその他の基本的な構造は同じに形成されており、第３金種紙幣の五千円紙幣および第４金種紙幣の二千円紙幣を集積収納するとともに１枚ずつ繰り出し可能としている。
【００６８】
すなわち、第３金種紙幣用スタッカ23は、紙幣を収納するボックス85、このボックス85内を上下方向に移動する支持板86、この支持板86の上方に対向するベルト87、支持板86の上方に対向するとともにベルト87とは干渉しない位置で上下方向に移動する一時保留板88、ベルト87の第３金種紙幣用スタッカ用搬送部28e側の端部側に対向するゲートローラ89およびベルト87との間に紙幣を挟み込んで搬送するローラ90がそれぞれ配設されている。支持板86は支持板上下モータMA1（図１０、図１１参照）を用いた図示しない昇降機構により上下移動し、一時保留板88は一時保留板上下モータMA2（図１０、図１１参照）を用いた図示しない昇降機構により上下移動し、ベルト87、ゲートローラ89およびローラ90は繰込繰出モータMA3（図１０、図１１参照）によって回転駆動される。ゲートローラ89は、ワンウェイクラッチを備え、このワンウェイクラッチの働きにより、第３金種紙幣用スタッカ23からの紙幣の繰出時にベルト87に対して逆転して紙幣を１枚分離し、第３金種紙幣用スタッカ23への紙幣の繰込時に回転せずに紙幣の繰込みを可能としている。
【００６９】
そして、紙幣の繰出時には、支持板86を上昇させて紙幣をベルト87に押し当て、ベルト87の繰出回転とゲートローラ89の逆転とによって紙幣を１枚ずつに分離し、１枚分離した紙幣をベルト87とローラ90との間に挟み込んで第３金種紙幣用スタッカ用搬送部28eに繰り出す。また、紙幣の収納時には、ベルト87が繰出回転とは反対方向に繰込回転し、第３金種紙幣用スタッカ用搬送部28eから送り込まれる紙幣をローラ90との間に挟み込んでボックス85内の一時保留板88上に繰り込んで一時保留収納し、収納する紙幣の一時保留完了後の収納指示時に、一時保留板88を上昇させることにより、一時保留紙幣はベルト87に当接して上昇が止まるが、ベルト87とは干渉しない位置にある一時保留板88は上昇を継続して逃げるため、ベルト87で上昇が止められていた一時保留紙幣を支持板86上の収納済み紙幣に合体して収納される。
【００７０】
第３金種紙幣用スタッカ23に接続される第３金種紙幣用スタッカ用搬送部28eには、第３金種紙幣用スタッカ23から繰り出される紙幣を搬送するとともに第３金種紙幣用スタッカ用搬送部28eから第３金種紙幣用スタッカ23に紙幣を送り込む上下対の搬送ローラ94が配置されている。
【００７１】
次に、図８に紙幣搬送路26を示す。紙幣搬送路26は、紙幣の搬送をガイドするガイド溝111を形成したガイド体112を有し、このガイド体112は、機体11に固定的に設けられる固定ガイド113と紙幣詰まりの解消などのために固定ガイド113に対して開閉可能とする開閉ガイド114，114とで構成されている。
【００７２】
ガイド溝111には、紙幣の一方の面をガイドするガイド面115、紙幣の他方の面をガイドするガイド面116、紙幣の両側縁をガイドするガイド面117，118が形成されている。
【００７３】
一方のガイド面115には、このガイド面115に沿って摺動可能とする無端状の搬送ベルト119が配置されているとともに、ガイド面115に形成された孔部120を通じて搬送ベルト119を張設するローラ121が回転可能に配置されている。他方のガイド面116には、このガイド面116に形成された孔部122からガイド溝111内に突出して搬送ベルト119との間に紙幣を挟み込むピンチローラ123が回転可能に軸支されている。
【００７４】
そして、図１１に示すように、紙幣搬送路26は、ループ状搬送部27を正逆回転駆動する搬送用モータM1、ループ状搬送部27と補充回収紙幣収納部19とを接続する補充回収紙幣収納部用搬送部28aを正逆回転駆動する搬送用モータM2、ループ状搬送部27と入金口部16とを接続する入金搬送部28dを正逆回転駆動する搬送用モータM3、ループ状搬送部27と出金口部15とを接続する正逆搬送可能な出金搬送部28bを正逆回転駆動する搬送用モータM4，M5、出金搬送部28bの途中と取忘れ紙幣収納部18とを接続する取忘れ紙幣収納部用搬送部28cを正逆回転駆動する搬送用モータM6、ループ状搬送部27と第３金種紙幣用スタッカ23とを接続する正逆搬送可能な第３金種紙幣用スタッカ用搬送部28eを正逆回転駆動する搬送用モータM7、ループ状搬送部27と第２金種紙幣用スタッカ22とを接続する正逆搬送可能な第２金種紙幣用スタッカ用搬送部28fを正逆回転駆動する搬送用モータM8、ループ状搬送部27と第１金種紙幣用スタッカ21とを接続する正逆搬送可能な第１金種紙幣用スタッカ用搬送部28gを正逆回転駆動する搬送用モータM9、ループ状搬送部27とリジェクト紙幣収納部20とを接続する正逆搬送可能なリジェクト紙幣収納部用搬送部28hを正逆回転駆動する搬送用モータM10を有している。
【００７５】
さらに、ループ状搬送部27と補充回収紙幣収納部用搬送部28aとの接続部に設けられる第１の分岐手段29aを切換駆動する分岐用モータMG1、ループ状搬送部27と出金搬送部28bとの接続部に設けられる第２の分岐手段29bを切換駆動する分岐用モータMG2、取忘れ紙幣収納部用搬送部28cと出金搬送部28bの途中位置との接続部に設けられる第３の分岐手段29cを切換駆動する分岐用モータMG3、ループ状搬送部27と入金搬送部28dとの接続部に設けられる第４の分岐手段29dを切換駆動する分岐用モータMG4、ループ状搬送部27と第３金種紙幣用スタッカ用搬送部28eとの接続部に設けられる第５の分岐手段29eを切換駆動する分岐用モータMG5、ループ状搬送部27と第２金種紙幣用スタッカ用搬送部28fとの接続部に設けられる第６の分岐手段29fを切換駆動する分岐用モータMG6、ループ状搬送部27と第１金種紙幣用スタッカ用搬送部28gとの接続部に設けられる第７の分岐手段29gを切換駆動する分岐用モータMG7、ループ状搬送部27とリジェクト紙幣収納部用搬送部28hとの接続部に設けられる第８の分岐手段29hを切換駆動する分岐用モータMG8を有している。
【００７６】
これら分岐手段29a〜29hのうち、第１、第４、第５の分岐手段29a，29d，29eは２方向に紙幣の搬送を切換可能とする二方向切換機構を備え、第２、第３、第６、第７、第８の分岐手段29b，29c，29f，29g，29hは三方向に紙幣の搬送を切換可能とする三方向切換機構を備えている。
【００７７】
次に、図９に三方向切換機構を備えた分岐手段29を示す。この切換手段29の三方向切換機構131は、紙幣を直進搬送する直進搬送通路域132とこの直進搬送通路域132に交差する交差搬送通路域133との間に設けられている。例えば、ループ状搬送部27と第１金種紙幣用スタッカ用搬送部28gとの接続部に設けられる第７の分岐手段29gの場合、ループ状搬送部27が直進搬送通路域132に相当し、第１金種紙幣用スタッカ用搬送部28gが交差搬送通路域133に相当する。
【００７８】
直進搬送通路域132の交差搬送通路域133側である一面側に回転軸134が設けられ、この回転軸134によってガイド部材135が回転可能に配置されている。ガイド部材135の一面には直線状に形成された直進搬送ガイド面136が形成され、他面には凹曲面状に形成された曲折方向ガイド面137が形成されている。
【００７９】
回転軸134はパルスモータを用いる分岐用モータMG2，MG3，MG6，MG7，MG8によって回転駆動し、ガイド部材135を第１位置、第２位置、第３位置に切換回動させる。図９(a)に示す第１位置では、ガイド部材135の直進搬送ガイド面136が直進搬送通路域132に離間対向し、直進搬送通路域132に沿って紙幣を搬送する分岐状態とする。図９(b)に示す第２位置では、ガイド部材135の曲折方向ガイド面137が直進搬送通路域132の一方および交差搬送通路域133へ向けて対向し、直進搬送通路域132の一方と交差搬送通路域133とにわたって紙幣を搬送する分岐状態とする。図９(c)に示す第３位置では、ガイド部材135の曲折方向ガイド面137が直進搬送通路域132の他方および交差搬送通路域133へ向けて対向し、直進搬送通路域132の他方と交差搬送通路域133とにわたって紙幣を搬送する分岐状態とする。
【００８０】
なお、各分岐手段29の三方向切換機構131および二方向切換機構とも分岐用モータMG1〜MG8にはパルスモータが用いている。
【００８１】
なお、分岐手段29域は搬送ベルト119とピンチローラ123が設けられているが、搬送ベルト119に代え、ローラ121のみの構成でもよく、ピンチローラ123も駆動ローラであってもよい。また、分岐手段29域以外の紙幣搬送路26についてもローラ対ローラ、ベルト対ベルト、あるいはその組み合わせであってもよい。
【００８２】
次に、図１０には、循環式紙幣入出金機による紙幣の補充処理、入金処理、出金処理、締回収処理を制御する制御部201を示す。この制御部201には、機体11の顧客用操作面12に設けられ、入金、出金の各処理モードや出金額などを入力する顧客操作入力部202と、機体11の係員用操作面13に設けられ、補充処理や締回収処理などを入力指令する係員操作入力部203と、機体11の係員用操作面13に設けられ、各扉体58，81，91の開放可能表示や補充回収紙幣収納部19のボックス65の引出可能表示などを表示する係員表示部204と、出金口部15、入金口部16、各収納部18，19，20、各スタッカ21，22，23で紙幣を検知する収納部用センサ群205と、紙幣搬送路26のループ状搬送部27や各外方通路部28で紙幣を検知する紙幣搬送路用センサ群206と、紙幣搬送路26のループ状搬送部26や各外方通路部28の搬送用モータM1〜M10と、各分岐手段29の分岐用モータMG1〜MG8と、リジェクト紙幣収納部20の仕切板78を切換駆動する切換板用ソレノイドSDと、各スタッカ23，22，21および補充回収紙幣収納部19の支持板上下モータMA1，MB1，MC1，MD1と、各スタッカ23，22，21の一時保留板上下モータMA2，MB2，MC2と、各スタッカ23，22，21および補充回収紙幣収納部19の繰込繰出モータMA3，MB3，MC3，MD3と、取忘れ紙幣収納部18の羽根車57を回転駆動する羽根車モータME1、出金口部繰込繰出モータMF1と、出金口部支持板上下モータMF2と、入金口部繰込モータMH1と、入金口部支持板上下モータMH2とが接続され、さらに、上位機207と通信可能に接続されている。
【００８３】
そして、制御部201は、出金処理時、補充処理時、締回収処理時において、各処理に応じて、第１金種紙幣用スタッカ21、第２金種紙幣用スタッカ22、第３金種紙幣用スタッカ23、補充回収紙幣収納部19から紙幣を繰り出し紙幣搬送路26へ送って紙幣識別手段25で識別し、正規の金種紙幣は、各処理に対応する顧客用操作口部17、第１金種紙幣用スタッカ21、第２金種紙幣用スタッカ22、補充回収紙幣収納部19へ送るとともに、リジェクト紙幣は、各処理に対応して紙幣搬送路26により正規紙幣とは重複搬送することなく搬送して送り込み可能な補充回収紙幣収納部19、第３金種紙幣用スタッカ23、顧客用操作口部17のいずれかへ送り込み、各処理完了後および各処理における各金種毎の処理完了後のいずれかで、リジェクト紙幣を補充回収紙幣収納部19、第３金種紙幣用スタッカ23、顧客用操作口部17のいずれかから繰り出し紙幣搬送路26へ送って紙幣識別手段25で再識別し、正規の金種紙幣は各処理に対応する補充回収紙幣収納部19、第１金種紙幣用スタッカ21、第２金種紙幣用スタッカ22へ送るとともに、再度リジェクト紙幣と識別された紙幣はリジェクト紙幣収納部20へ回収させる機能を有している。
【００８４】
そして、制御部201は、締回収処理時において、次の制御ステップ１〜４の機能を有している。
【００８５】
締回収処理の第１制御ステップでは、第１金種紙幣用スタッカ21から千円紙幣を繰り出して紙幣搬送路26で識別し、正規の千円紙幣は空状態にある補充回収紙幣収納部19へ回収するとともに、リジェクト紙幣はリジェクト紙幣一時保留部として機能させる顧客用操作口部17の出金口部15へ一時保留し、繰出中の第１金種紙幣用スタッカ21を空にする。
【００８６】
締回収処理の第２制御ステップでは、第２金種紙幣用スタッカ22から万円紙幣を繰り出して紙幣搬送路26で識別し、正規の万円紙幣は前回空になった第１金種紙幣用スタッカ21へ回収するとともに、リジェクト紙幣はリジェクト紙幣一時保留部として機能させる顧客用操作口部17の出金口部15へ一時保留し、繰出中の第２金種紙幣用スタッカ22を空にする。
【００８７】
締回収処理の第３制御ステップでは、第３金種紙幣用スタッカ23の二千円紙幣、五千円紙幣を繰り出して紙幣搬送路26で識別し、正規の五千円紙幣は前回空になった第２金種紙幣用スタッカ22へ回収し、二千円紙幣は空状態の取忘れ紙幣収納部18（取忘れ紙幣は回収した状態で行う）へ回収し、リジェクト紙幣はリジェクト紙幣一時保留部として機能させる顧客用操作口部17の出金口部15へ一時保留し、繰出中の第３金種紙幣用スタッカ23を空にする。
【００８８】
締回収処理の第４制御ステップでは、全金種の締回収処理完了後に、リジェクト紙幣を顧客用操作口部17の出金口部15から１枚ずつ繰り出して紙幣搬送路26を経由して第３金種紙幣用スタッカ23へ移しかえ、この第３金種紙幣用スタッカ23からリジェクト紙幣を1枚ずつ繰り出して紙幣搬送路26で再識別し、正規の金種紙幣は対応する金種紙幣を回収した補充回収紙幣収納部19、第１および第２金種紙幣用スタッカ21，22、取忘れ紙幣収納部18へ回収し、再度リジェクト紙幣と識別されたリジェクト紙幣はリジェクト紙幣収納部20の出金回収リジェクト紙幣収納部80へ回収する。
【００８９】
このように、締回収処理の第１、第２、第３、第４の各制御ステップを通じて、千円紙幣、万円紙幣、五千円紙幣、二千円紙幣は識別計数後に金種別に補充回収紙幣収納部19、第１および第２金種紙幣用スタッカ21，22、取忘れ紙幣収納部18へ回収し、リジェクト紙幣はリジェクト紙幣収納部20へ回収させる。
【００９０】
次に、本実施の形態の循環式紙幣入出金機の作用を説明する。
【００９１】
まず、機体11内に紙幣が収納されていない初期の補充処理について説明する。
【００９２】
補充回収紙幣収納部19のボックス65を引き出し、このボックス65内に出金に利用する千円紙幣および万円紙幣を所定枚数ずつ収納し、ボックス65を機体11に装填する。
【００９３】
係員操作入力部203で補充処理を指令することにより、補充処理の第１制御ステップおよび第２制御ステップを順に行う。
【００９４】
補充処理の第１制御ステップでは、補充回収紙幣収納部19から補充紙幣を紙幣搬送路26の補充回収紙幣収納部用搬送部28aに１枚ずつ繰り出し、この補充紙幣を、補充回収紙幣収納部用搬送部28aおよび第１の分岐手段29aを経てループ状搬送部27に合流させ、ループ状搬送部27で図１反時計回方向である順搬送方向に搬送する。
【００９５】
ループ状搬送部27を順搬送方向に搬送する補充紙幣を紙幣識別手段25で識別し、識別の結果、正規の万円紙幣は第６の分岐手段29fで第２金種紙幣用スタッカ用搬送部28fに分岐して第２金種紙幣用スタッカ22に収納し、正規の千円紙幣は第７の分岐手段29gで第１金種紙幣用スタッカ用搬送部28gに分岐して第１金種紙幣用スタッカ21に収納し、また、識別不能な補充リジェクト紙幣は第５の分岐手段29eで第３金種紙幣用スタッカ用搬送部28eに分岐して第３金種紙幣用スタッカ23に収納する。
【００９６】
また、補充処理の第２制御ステップは、補充リジェクト紙幣が第３金種紙幣用スタッカ23に収納した場合にのみ行う。すなわち、この補充処理の第２制御ステップでは、補充回収紙幣収納部19に収納されていた全ての紙幣を繰り出し識別して対応する収納場所へ収納完了した後、第３金種紙幣用スタッカ23に収納された補充リジェクト紙幣を第３金種紙幣用スタッカ用搬送部28eに１枚ずつ繰り出し、この補充リジェクト紙幣を、第３金種紙幣用スタッカ用搬送部28eおよび第５の分岐手段29eを経てループ状搬送部27に合流させ、ループ状搬送部27で図１時計回方向である逆搬送方向に搬送する。
【００９７】
ループ状搬送部27を逆搬送方向に搬送する補充リジェクト紙幣を紙幣識別手段25で識別し、再識別の結果、正規であると識別された千円紙幣は第７の分岐手段29gで第１金種紙幣用スタッカ用搬送部28gに分岐して第１金種紙幣用スタッカ21に収納し、正規であると識別された万円紙幣は第６の分岐手段29fで第２金種紙幣用スタッカ用搬送部28fに分岐して第２金種紙幣用スタッカ22に収納し、再識別しても識別不能な補充リジェクト紙幣は第８の分岐手段29hでリジェクト紙幣収納部用搬送部28hに分岐してリジェクト紙幣収納部20に収納する。このとき、リジェクト紙幣収納部20では、仕切板78の先端を上方へ揺動させ、補充リジェクト紙幣を仕切板78の下側の補充リジェクト紙幣収納部79に収納する。
【００９８】
このように、補充処理時において、補充リジェクト紙幣は、紙幣搬送路26により正規紙幣とは重複搬送することなく搬送して送り込み可能な第３金種紙幣用スタッカ23へ送り込み、補充処理完了後に、補充リジェクト紙幣を第３金種紙幣用スタッカ23から繰り出し紙幣搬送路26へ送って紙幣識別手段25で再識別し、正規の金種紙幣は収納金種に対応する第１金種紙幣用スタッカ21および第２金種紙幣用スタッカ22へ送るとともに、再度リジェクト紙幣と識別された補充リジェクト紙幣はリジェクト紙幣収納部20へ回収させることにより、補充処理時の補充リジェクト紙幣のリジェクト率を低減し、正規紙幣として有効使用でき、さらに、紙幣搬送路26で補充リジェクト紙幣を正規紙幣と重複搬送することなく、紙幣の搬送をスムーズにできるとともに、専用のリジェクト紙幣一時保留部を設けることなく、第３金種紙幣用スタッカ23を利用して補充リジェクト紙幣を一時保留でき、小形に構成できる。
【００９９】
次に、入金処理について説明する。
【０１００】
顧客が顧客操作入力部202で入金処理モードを指定することにより、入金口43のシャッタ45を開く。顧客が入金紙幣を入金口部16に挿入し、それを検知することにより、入金紙幣を入金口部16内に取り込み、シャッタ45を閉じる。
【０１０１】
入金口部16に取り込んだ入金紙幣を入金搬送部28dに１枚ずつ繰り出し、この入金紙幣を、入金搬送部28d、第４の分岐手段29dを経てループ状搬送部27に合流させ、ループ状搬送部27で図１反時計回方向である順搬送方向に搬送する。
【０１０２】
ループ状搬送部27を順搬送方向に搬送する入金紙幣を紙幣識別手段25で識別し、識別の結果、正規の二千円紙幣および五千円紙幣は第５の分岐手段29eで第３金種紙幣用スタッカ用搬送部28eに分岐して第３金種紙幣用スタッカ23に収納し、正規の万円紙幣は第６の分岐手段29fで第２金種紙幣用スタッカ用搬送部28fに分岐して第２金種紙幣用スタッカ22に収納し、正規の千円紙幣は第７の分岐手段29gで第１金種紙幣用スタッカ用搬送部28gに分岐して第１金種紙幣用スタッカ21に収納する。このとき、各スタッカ21，22，23内には支持板86，86，86上に集積されている収納済み紙幣上に一時保留板88，88，88が位置しており、各スタッカ21，22，23に送り込まれた入金紙幣は一時保留板88，88，88上に集積して一時保留する。
【０１０３】
識別の結果、識別不能な入金リジェクト紙幣は、第２の分岐手段29bでループ状搬送部27から出金搬送部28bに分岐し、出金搬送部28bおよび第３の分岐手段29cを経て出金口部15の出金紙幣一時保留部36に収納する。
【０１０４】
入金口部16から全ての入金紙幣が繰り出し識別して対応する収納場所へ収納した後、顧客用操作面12に設置されている表示部で識別結果を表示し、顧客に入金承認か入金キャンセルかを確認する。
【０１０５】
そして、顧客操作入力部202で入金承認を指令した場合、入金収納処理を開始する。この入金収納処理では、各スタッカ21，22，23において、一時保留板88，88，88を上昇させることにより、一時保留紙幣は上方のベルト87，87，87に当接して上昇が止まるが、ベルト87，87，87とは干渉しない位置にある一時保留板88，88，88は上昇を継続して逃げるため、ベルト87，87，87で上昇が止められていた一時保留紙幣を支持板86，86，86上の収納済み紙幣に合体させて収納する。
【０１０６】
入金リジェクト紙幣が識別されていなかった場合にはこれで入金処理を終了し、一方、入金リジェクト紙幣が識別されて出金口部15の出金紙幣一時保留部36に収納されている場合には、出金口35のシャッタ37を開き、出金紙幣一時保留部36から入金リジェクト紙幣を出金口35に繰り出して顧客により取出可能とする。顧客が入金リジェクト紙幣を取り出したことを検知すれば、シャッタ37を閉じ、入金処理を終了する。
【０１０７】
また、顧客が入金リジェクト紙幣を所定時間以内に取り出さないときは取忘れ紙幣として出金搬送部28b、第３の分岐手段29c、取忘れ紙幣収納部用搬送部28cを経て、取忘れ紙幣収納部18へ回収し、入金処理を終了する。
【０１０８】
また、顧客が顧客操作入力部202で入金キャンセルを指令した場合、入金返却処理を開始する。この入金返却処理では、正規と識別されて各スタッカ21，22，23に収納した合計金額分を千円紙幣と万円紙幣との組合せで返却するもので、仮に二千円紙幣および五千円紙幣が入金されていてもこれらは返却せず千円紙幣と万円紙幣との組合せで返却する。
【０１０９】
各スタッカ21，22，23では、一時保留板88，88，88を上昇させることにより、一時保留紙幣は上方のベルト87，87，87に当接して上昇が止まるが、ベルト87，87，87とは干渉しない位置にある一時保留板88，88，88は上昇を継続して逃げるため、ベルト87，87，87で上昇が止められていた一時保留紙幣は支持板86，86，86上の収納済み紙幣に合体する。
【０１１０】
その後、まず、例えば、第２金種紙幣用スタッカ22から入金返却に必要な枚数分の入金返却万円紙幣を第２金種紙幣用スタッカ用搬送部28fに１枚ずつ繰り出し、この入金返却万円紙幣を、第２金種紙幣用スタッカ用搬送部28fおよび第６の分岐手段29fを経てループ状搬送部27に合流させ、ループ状搬送部27で図１時計回方向である逆搬送方向に搬送する。
【０１１１】
ループ状搬送部27を逆搬送方向に搬送する入金返却万円紙幣を紙幣識別手段25で識別し、識別の結果、正規の入金返却万円紙幣は、第２の分岐手段29bでループ状搬送部27から出金搬送部28bに分岐し、出金搬送部28bおよび第３の分岐手段29cを経て出金口部15の出金紙幣一時保留部36に収納する。
【０１１２】
この第２金種紙幣用スタッカ22からの入金返却万円紙幣の繰り出し完了後、第１金種紙幣用スタッカ21から入金返却に必要な枚数分の入金返却千円紙幣を第１金種紙幣用スタッカ用搬送部28gに１枚ずつ繰り出し、この入金返却千円紙幣を、第１金種紙幣用スタッカ用搬送部28gおよび第７の分岐手段29gを経てループ状搬送部27に合流させ、ループ状搬送部27で図１時計回方向である逆搬送方向に搬送する。
【０１１３】
ループ状搬送部27を逆搬送方向に搬送する入金返却千円紙幣を紙幣識別手段25で識別し、識別の結果、正規の入金返却千円紙幣は、第２の分岐手段29bでループ状搬送部27から出金搬送部28bに分岐し、出金搬送部28bおよび第３の分岐手段29cを経て出金口部15の出金紙幣一時保留部36に収納する。
【０１１４】
入金返却に必要な入金返却紙幣を出金口部15の出金紙幣一時保留部36に収納したら、出金口35のシャッタ37を開き、出金紙幣一時保留部36から入金返却紙幣を出金口35に繰り出して顧客により取出可能とする。顧客が入金返却紙幣を取り出したことを検知すれば、シャッタ37を閉じ、入金返却処理を終了する。
【０１１５】
また、出金口35に入金リジェクト紙幣または入金返却紙幣を繰り出した際には、それら紙幣が顧客により取り出されたか否かを監視し、所定時間経過してもそれら紙幣が取り出されない場合には取忘れ紙幣として取忘れ紙幣回収処理をする。この取忘れ紙幣回収処理では、出金口35の取忘れ紙幣を出金口部15内に取り込み、シャッタ37を閉じる。出金口部15に取り込んだ取忘れ紙幣を出金搬送部28bに１枚ずつ繰り出し、この取忘れ紙幣を、出金搬送部28b、第３の分岐手段29c、取忘れ紙幣収納部用搬送部28cを経て取忘れ紙幣収納部18に回収する。
【０１１６】
次に、出金処理について説明する。
【０１１７】
顧客が顧客操作入力部202で出金処理モードを指定し、出金金額を入力することにより、出金処理の第１制御ステップ、第２制御ステップおよび第３制御ステップを順に行う。
【０１１８】
出金は、千円紙幣と万円紙幣との組合せで出金するもので、出金金額分に必要な千円紙幣および万円紙幣毎の枚数を求める。
【０１１９】
まず、出金処理の第１制御ステップでは、例えば、第２金種紙幣用スタッカ22から出金に必要な枚数分の出金万円紙幣を第２金種紙幣用スタッカ用搬送部28fに１枚ずつ繰り出し、この出金万円紙幣を、第２金種紙幣用スタッカ用搬送部28fおよび第６の分岐手段29fを経てループ状搬送部27に合流させ、ループ状搬送部27で図１時計回方向である逆搬送方向に搬送する。
【０１２０】
ループ状搬送部27を逆搬送方向に搬送する出金万円紙幣を紙幣識別手段25で識別し、識別の結果、正規の出金万円紙幣は、第２の分岐手段29bでループ状搬送部27から出金搬送部28bに分岐し、出金搬送部28bおよび第３の分岐手段29cを経て出金口部15の出金紙幣一時保留部36に収納する。また、識別の結果、識別不能な出金リジェクト紙幣は、第１の分岐手段29aでループ状搬送部27から補充回収紙幣収納部用搬送部28aに分岐し、この補充回収紙幣収納部用搬送部28aを経て補充処理で空状態にある補充回収紙幣収納部19に収納する。１枚の出金リジェクト紙幣が識別される毎に、その分の出金万円紙幣を第２金種紙幣用スタッカ22から追加して繰り出し、出金に必要な枚数分の出金万円紙幣を出金口部15の出金紙幣一時保留部36に収納する。
【０１２１】
この第２金種紙幣用スタッカ22からの出金万円紙幣の繰り出し完了後、第１金種紙幣用スタッカ21から出金に必要な枚数分の出金千円紙幣を第１金種紙幣用スタッカ用搬送部28gに１枚ずつ繰り出し、この出金千円紙幣を、第１金種紙幣用スタッカ用搬送部28gおよび第７の分岐手段29gを経てループ状搬送部27に合流させ、ループ状搬送部27で図１時計回方向である逆搬送方向に搬送する。
【０１２２】
ループ状搬送部27を逆搬送方向に搬送する出金千円紙幣を紙幣識別手段25で識別し、識別の結果、正規の出金千円紙幣は、第２の分岐手段29bでループ状搬送部27から出金搬送部28bに分岐し、出金搬送部28bおよび第３の分岐手段29cを経て出金口部15の出金紙幣一時保留部36に収納する。また、識別の結果、識別不能な出金リジェクト紙幣は、第１の分岐手段29aでループ状搬送部27から補充回収紙幣収納部用搬送部28aに分岐し、この補充回収紙幣収納部用搬送部28aを経て補充処理で空状態にある補充回収紙幣収納部19に収納する。１枚の出金リジェクト紙幣が識別される毎に、その分の出金千円紙幣を第１金種紙幣用スタッカ21から追加して繰り出し、出金に必要な枚数分の出金千円紙幣を出金口部15の出金紙幣一時保留部36に収納する。
【０１２３】
そして、出金に必要な出金紙幣を出金口部15の出金紙幣一時保留部36に収納したら、出金口35のシャッタ37を開き、出金紙幣一時保留部36から出金紙幣を出金口35に繰り出して顧客により取出可能とする。顧客が出金紙幣を取り出したことを検知すれば、シャッタ37を閉じ、出金処理を終了する。
【０１２４】
また、出金処理の第２制御ステップは、出金紙幣の取り忘れが発生した場合にのみ行う。すなわち、この出金処理の第２制御ステップでは、出金口35に繰り出された出金紙幣が顧客により取り出されたか否かを監視し、所定時間経過しても出金紙幣が取り出されない場合には取忘れ紙幣として取忘れ紙幣回収処理をする。この取忘れ紙幣回収処理では、出金口35の取忘れ紙幣を出金口部15内に取り込み、シャッタ37を閉じる。出金口部15に取り込んだ取忘れ紙幣を出金搬送部28bに１枚ずつ繰り出し、この取忘れ紙幣を、出金搬送部28b、第３の分岐手段29c、取忘れ紙幣収納部用搬送部28cを経て取忘れ紙幣収納部18に回収する。
【０１２５】
出金処理の第３制御ステップは、出金リジェクト紙幣を補充回収紙幣収納部19に収納した場合にのみ行う。すなわち、補充回収紙幣収納部19から出金リジェクト紙幣を紙幣搬送路26の補充回収紙幣収納部用搬送部28aに１枚ずつ繰り出し、この出金リジェクト紙幣を、補充回収紙幣収納部用搬送部28aおよび第１の分岐手段29aを経てループ状搬送部27に合流させ、ループ状搬送部27で図１反時計回方向である順搬送方向に搬送する。
【０１２６】
ループ状搬送部27を順搬送方向に搬送する出金リジェクト紙幣を紙幣識別手段25で識別し、識別の結果、正規の万円紙幣は第６の分岐手段29fで第２金種紙幣用スタッカ用搬送部28fに分岐して第２金種紙幣用スタッカ22に収納し、正規の千円紙幣は第７の分岐手段29gで第１金種紙幣用スタッカ用搬送部28gに分岐して第１金種紙幣用スタッカ21に収納し、また、識別不能な出金リジェクト紙幣は第８の分岐手段29hでリジェクト紙幣収納部用搬送部28hに分岐してリジェクト紙幣収納部20に収納する。このとき、リジェクト紙幣収納部20では、仕切板78の先端を下方へ揺動させ、出金リジェクト紙幣を仕切板78の上側の出金回収リジェクト紙幣収納部80に収納する。
【０１２７】
このように、出金処理時において、出金リジェクト紙幣は、紙幣搬送路26により正規紙幣とは重複搬送することなく搬送して送り込み可能な補充回収紙幣収納部19へ送り込み、出金処理完了後に、リジェクト紙幣を補充回収紙幣収納部19から補充回収紙幣収納部用搬送部28aへ繰り出し紙幣搬送路26へ送って紙幣識別手段25で再識別し、正規の金種紙幣は収納金種に対応する第１金種紙幣用スタッカ21および第２金種紙幣用スタッカ22へ送るとともに、再度リジェクト紙幣と識別された出金リジェクト紙幣はリジェクト紙幣収納部20へ回収させることにより、出金処理時の出金リジェクト紙幣のリジェクト率を低減し、正規紙幣として有効使用でき、さらに、紙幣搬送路26で出金リジェクト紙幣を正規紙幣と重複搬送することなく、紙幣の搬送をスムーズにできるとともに、専用の出金リジェクト紙幣一時保留部を設けることなく、補充回収紙幣収納部19を利用して出金リジェクト紙幣を一時保留でき、小形に構成できる。
【０１２８】
次に、締回収処理について説明する。
【０１２９】
係員が係員操作入力部203で締回収処理を指令することにより、締回収処理の第１制御ステップ、第２制御ステップ、第３制御ステップおよび第４制御ステップを順に行う。
【０１３０】
まず、締回収処理の第１制御ステップでは、第１金種紙幣用スタッカ21から全ての回収千円紙幣を第１金種紙幣用スタッカ用搬送部28gに１枚ずつ繰り出し、この回収千円紙幣を、第１金種紙幣用スタッカ用搬送部28gおよび第７の分岐手段29gを経てループ状搬送部27に合流させ、ループ状搬送部27で図１時計回方向である逆搬送方向に搬送する。
【０１３１】
ループ状搬送部27を順搬送方向に搬送する回収千円紙幣を紙幣識別手段25で識別し、識別の結果、正規の回収千円紙幣は、第１の分岐手段29aでループ状搬送部27から補充回収紙幣収納部用搬送部28aに分岐し、この補充回収紙幣収納部用搬送部28aを経て補充処理で空状態にある補充回収紙幣収納部19に回収する。また、識別の結果、識別不能な回収リジェクト紙幣は、第２の分岐手段29bでループ状搬送部27から出金搬送部28bに分岐し、出金搬送部28bおよび第３の分岐手段29cを経て出金口部15の出金紙幣一時保留部36に収納する。
【０１３２】
このように、第１金種紙幣用スタッカ21から全ての回収千円紙幣を繰り出し、正規の回収千円紙幣を補充回収紙幣収納部19に収納し、回収リジェクト紙幣を出金口部15の出金紙幣一時保留部36に収納し、千円紙幣回収用の第１金種紙幣用スタッカ21を空にする。
【０１３３】
続いて、締回収処理の第２制御ステップでは、第２金種紙幣用スタッカ22から全ての回収万円紙幣を第２金種紙幣用スタッカ用搬送部28fに１枚ずつ繰り出し、この回収万円紙幣を、第２金種紙幣用スタッカ用搬送部28fおよび第６の分岐手段29fを経てループ状搬送部27に合流させ、ループ状搬送部27で図１時計回方向である逆搬送方向に搬送する。
【０１３４】
ループ状搬送部27を逆搬送方向に搬送する回収万円紙幣を紙幣識別手段25で識別し、識別の結果、正規の回収万円紙幣は、第７の分岐手段29gでループ状搬送部27から第１金種紙幣用スタッカ用搬送部28gに分岐し、この第１金種紙幣用スタッカ用搬送部28gを経て前回空になった第１金種紙幣用スタッカ21に回収する。また、識別の結果、識別不能な回収リジェクト紙幣は、第２の分岐手段29bでループ状搬送部27から出金搬送部28bに分岐し、出金搬送部28bおよび第３の分岐手段29cを経て出金口部15の出金紙幣一時保留部36に収納する。
【０１３５】
このように、第２金種紙幣用スタッカ22から全ての回収万円紙幣を繰り出し、正規の回収万円紙幣を第１金種紙幣用スタッカ21に収納し、回収リジェクト紙幣を出金口部15の出金紙幣一時保留部36に収納し、五千円紙幣回収用の第２金種紙幣用スタッカ22を空にする。
【０１３６】
続いて、締回収処理の第３制御ステップでは、第３金種紙幣用スタッカ23から全ての回収二千円紙幣および回収五千円紙幣を第３金種紙幣用スタッカ用搬送部28eに１枚ずつ繰り出し、これら回収二千円紙幣および回収五千円紙幣を、第３金種紙幣用スタッカ用搬送部28eおよび第５の分岐手段29eを経てループ状搬送部27に合流させ、ループ状搬送部27で図１時計回方向である逆搬送方向に搬送する。
【０１３７】
ループ状搬送部27を逆搬送方向に搬送する回収二千円紙幣および回収五千円紙幣を紙幣識別手段25で識別し、識別の結果、正規の回収二千円紙幣は第２の分岐手段29bでループ状搬送部27から出金搬送部28bに分岐し、出金搬送部28b、第３の分岐手段29cおよび取忘れ紙幣収納部用搬送部28cを経て取忘れ紙幣収納部18に回収し、正規の回収五千円紙幣は第６の分岐手段29fで第２金種紙幣用スタッカ用搬送部28fに分岐して前回空になった第２金種紙幣用スタッカ22に回収する。また、識別の結果、識別不能な回収リジェクト紙幣は、第２の分岐手段29bでループ状搬送部27から出金搬送部28bに分岐し、出金搬送部28bおよび第３の分岐手段29cを経て出金口部15の出金紙幣一時保留部36に収納する。
【０１３８】
このように、第３金種紙幣用スタッカ23から全ての回収二千円紙幣および回収五千円紙幣を繰り出し、正規の回収二千円紙幣を取忘れ紙幣収納部18に回収し、正規の回収五千円紙幣を空状態にある第２金種紙幣用スタッカ22に収納し、回収リジェクト紙幣を出金口部15の出金紙幣一時保留部36に収納し、第３金種紙幣用スタッカ23を空にする。
【０１３９】
また、締回収処理の第４制御ステップは、回収リジェクト紙幣を出金口部15の出金紙幣一時保留部36に収納した場合にのみ行う。すなわち、この出金処理の第４制御ステップでは、出金口部15の出金紙幣一時保留部36から全ての回収リジェクト紙幣を出金搬送部28bに１枚ずつ繰り出し、この回収リジェクト紙幣を、出金搬送部28b、第３の分岐手段29cおよび第２の分岐手段29bを経てループ状搬送部27に合流させ、ループ状搬送部27で図１反時計回方向である順搬送方向に搬送し、第５の分岐手段29eで第３金種紙幣用スタッカ用搬送部28eに分岐して第３金種紙幣用スタッカ23に収納する。
【０１４０】
第３金種紙幣用スタッカ23に収納された全ての回収リジェクト紙幣を第３金種紙幣用スタッカ用搬送部28eに１枚ずつ繰り出し、この回収リジェクト紙幣を、第３金種紙幣用スタッカ用搬送部28eおよび第５の分岐手段29eを経てループ状搬送部27に合流させ、ループ状搬送部27で図１時計回方向である逆搬送方向に搬送する。
【０１４１】
ループ状搬送部27を逆搬送方向に搬送する回収リジェクト紙幣を紙幣識別手段25で識別し、再識別の結果、正規の回収二千円紙幣は第２の分岐手段29bでループ状搬送部27から出金搬送部28bに分岐してこの出金搬送部28b、第３の分岐手段29cおよび取忘れ紙幣収納部用搬送部28cを経て取忘れ紙幣収納部18に回収し、正規の回収千円紙幣は第１の分岐手段29aでループ状搬送部27から補充回収紙幣収納部用搬送部28aに分岐して補充回収紙幣収納部19に回収し、正規の回収万円紙幣は第７の分岐手段29gでループ状搬送部27から第１金種紙幣用スタッカ用搬送部28gに分岐して第１金種紙幣用スタッカ21に回収し、正規の回収五千円紙幣は第６の分岐手段29fでループ状搬送部27から第２金種紙幣用スタッカ用搬送部28fに分岐して第２金種紙幣用スタッカ22に回収する。
【０１４２】
再識別しても識別不能な回収リジェクト紙幣は第８の分岐手段29hでリジェクト紙幣収納部用搬送部28hに分岐してリジェクト紙幣収納部20に収納する。このとき、リジェクト紙幣収納部20では、仕切板78の先端を下方へ揺動させ、回収リジェクト紙幣を仕切板78の上側の出金回収リジェクト紙幣収納部80に収納する。
【０１４３】
このように、締回収処理時において、回収リジェクト紙幣は、顧客用操作口部17の出金口部15へ一時保留し、全金種の締回収処理完了後、回収リジェクト紙幣を顧客用操作口部17の出金口部15から繰り出し紙幣搬送路26へ送って空の第３紙幣用スタッカ23へ移しかえ、第３金種紙幣用スタッカ23から回収リジェクト紙幣を１枚ずつ繰り出して紙幣搬送路26へ送って紙幣識別手段25で再識別し、正規の金種紙幣は対応する金種紙幣を回収した補充回収紙幣収納部19、第１金種紙幣用スタッカ21、第２金種紙幣用スタッカ22、取忘れ紙幣収納部18へ回収し、再度リジェクト紙幣と識別された回収リジェクト紙幣はリジェクト紙幣収納部20へ回収させることにより、締回収処理時の回収リジェクト紙幣のリジェクト率を低減し、正規紙幣として有効使用でき、さらに、紙幣搬送路26で回収リジェクト紙幣を正規紙幣と重複搬送することなく、紙幣の搬送をスムーズにできるとともに、専用のリジェクト紙幣一時保留部を設けることなく、顧客用操作口部17の出金口部15を利用して回収リジェクト紙幣を一時保留でき、小形に構成できる。
【０１４４】
しかも、締回収処理時において、制御部201による第１、第２、第３、第４の各制御ステップを通じて、第１金種紙幣、第２金種紙幣、第３金種紙幣、第４金種紙幣を識別計数後に金種別に機体11の後面側から各紙幣を取り出せる補充回収紙幣収納部19、第１金種紙幣用スタッカ21、第２金種紙幣用スタッカ22、取忘れ紙幣収納部18へ回収し、回収リジェクト紙幣を機体11の後面側から紙幣が取り出せるリジェクト紙幣収納部20へ回収することにより、回収専用の回収部を機体11の後面側に設ける必要がなく機体11の高さを低くでき、さらに、回収する第１ないし第４金種紙幣について識別計数した後に回収できて回収後の識別計数作業の手間や時間を省くことができ、また、紙幣搬送路26を正逆搬送可能に構成することにより、紙幣の搬送方向を自由に選択できて好適な搬送形態を採ることができ、回収専用の回収部を設ける必要がないことも相まって紙幣搬送路26をコンパクトにできる。
【０１４５】
また、締回収処理時の第１制御ステップで第１金種紙幣用スタッカ21の回収千円紙幣を繰り出して正規の金種紙幣を補充回収紙幣収納部19へ回収させた後、第２制御ステップで第２金種紙幣用スタッカ22の回収万円紙幣を繰り出して正規の金種紙幣を空になった第１金種紙幣用スタッカ21へ回収させることにより、例えば、第２金種紙幣用スタッカ22の回収万円紙幣を繰り出した後に第１金種紙幣用スタッカ21の回収千円紙幣を繰り出したときのように、第１金種紙幣用スタッカ21から繰り出した未識別紙幣と識別後で第１金種紙幣用スタッカ21を通過して第２金種紙幣用スタッカ22に回収する紙幣とを重複搬送する領域が生じることがなく、紙幣の搬送をスムーズにできる。
【０１４６】
また、２金種混在収納用スタッカである第３金種紙幣用スタッカ23に第３金種紙幣である五千円紙幣と第４金種紙幣である二千円紙幣とを２金種混在収納することにより、４金種の紙幣を処理でき、顧客の利便性を向上でき、しかも、締回収処理時の紙幣繰出順序を、第１金種紙幣用スタッカ21、第２金種紙幣用スタッカ22、第３金種紙幣用スタッカ23の順にしたことにより、紙幣搬送路26で重複搬送域が生じることがなく、紙幣の搬送をスムーズにできる。
【０１４７】
また、正逆搬送可能な紙幣搬送路26に、紙幣識別手段25を設けたループ状搬送部27、ループ状搬送部27からループ外に延びる複数の外方通路部28、ループ状搬送部27と各外方通路部28との接続部に三方向切換機構131を備えた各分岐手段29b，29f，29g，29hを含む分岐手段29を設け、また、外方通路部28の出金搬送路28b中にも三方向切換機構131を備えた第３の分岐手段29cを含む分岐手段29を設け、紙幣識別手段25をループ状搬送部27において顧客用操作口部17の下方で第３金種紙幣用スタッカ23の上方の上下空間域に配置した構成とすることにより、紙幣の搬送方向を自由に選択できて好適な搬送形態を採ることができ、紙幣搬送路26をコンパクトにできる。
【０１４８】
また、三方向切換機構131は、直進搬送ガイド面136および曲折方向ガイド面137を有するガイド部材135を用いることにより、三方向切換機構131による紙幣の三方向への切り換えが簡単な構造にでき、それによって紙幣搬送路26の構造も簡略化できる。
【０１４９】
また、機体11の前面側を顧客が操作できる顧客用操作面12として構成でき、機体11の後面側を係員が取忘れ紙幣収納部18、補充回収紙幣収納部19、リジェクト紙幣収納部20、第１金種紙幣用スタッカ21、第２金種紙幣用スタッカ22などを操作できる係員用操作面13として構成でき、顧客用操作面12と係員用操作面13とが機体11の前面側と後面側とに区分され、紙幣の補充処理、入金処理、出金処理、締回収処理の操作性を向上できる。
【０１５０】
なお、前記実施の形態のように千円紙幣、二千円紙幣、五千円紙幣、万円紙幣の４金種を取り扱えるようにすれば顧客の利便性が向上するが、二千円紙幣を除いた千円紙幣、五千円紙幣、万円紙幣の３金種のみを取り扱うようにしてもよく、この場合、第３金種紙幣用スタッカ23には五千円紙幣のみを収納し、締回収処理時には取忘れ紙幣収納部18には紙幣を回収しない。
【０１５１】
この３金種を取り扱う場合も、回収リジェクト紙幣の再識別については、４金種の場合と同様である。すなわち、顧客用操作口部17の出金口部15へ一時保留した回収リジェクト紙幣は、全３金種の締回収処理完了後、出金口部15から回収リジェクト紙幣を１枚ずつ繰り出して紙幣搬送路26を通じて空の第３金種紙幣用スタッカ23へ移し、全ての回収リジェクト紙幣を第３金種紙幣用スタッカ23へ移し終ったあと、この第３金種紙幣用スタッカ23から回収リジェクト紙幣を１枚ずつ繰り出して紙幣搬送路26へ送り、紙幣識別手段25で再識別し、正規の金種紙幣は対応する金種紙幣を回収した補充回収紙幣収納部19、第１金種紙幣用スタッカ21、第２金種紙幣用スタッカ22へ回収し、再度リジェクト紙幣と識別された回収リジェクト紙幣はリジェクト紙幣収納部20へ回収する。
【０１５２】
ところが、３金種を取り扱う場合であっても、第１の分岐手段29aとして三方向切換機構131を用いる場合は、回収リジェクト紙幣の再識別ルートは違ってくる。つまり、回収リジェクト紙幣を顧客用操作口部17の出金口部15から空の第３金種紙幣用スタッカ23へ移しかえる必要はなく、顧客用操作口部17の出金口部15から１枚ずつ繰り出される回収リジェクト紙幣はそのまま識別されるのである。すなわち、顧客用換作口部17の出金口部15から１枚ずつ繰り出される回収リジェクト紙幣は、出金搬送部28bを通じて図１反時計方向の順方向搬送をするループ状搬送部27へ送られ、紙幣識別手段25で再識別され、正規の金種紙幣は対応する金種紙幣を回収した補充回収紙幣収納部19、第１金種紙幣用スタッカ21、第２金種紙幣用スタッカ22へ回収され、再度リジェクト紙幣と識別された回収リジェクト紙幣はリジェクト紙幣収納部20へ回収されるのである。
【０１５３】
そして、三方向切換機構131を用いる第１の分岐手段29aで切り換えられる三方向とは、補充時に補充回収紙幣収納部19から繰り出される補充紙幣が補充回収紙幣収納部用搬送部28aを経由して図１反時計方向（順方向）搬送をするループ状搬送部27へ送り込まれる第１の方向と、回収時に図１時計方向（逆方向）搬送をするループ状搬送部27内を搬送される千円紙幣が補充回収紙幣収納部用搬送部28aへ送られる第２の方向と、回収リジェクト紙幣のうち再識別により正規紙幣と識別された千円紙幣が、図１反時計方向（順方向）搬送をするループ状搬送部27から補充回収紙幣収納部用搬送部28aへ送られる第３の方向である。
【０１５４】
また、３金種を取り扱う場合で、第１の分岐手段29aとして三方向切換機構131を用いる場合は、回収リジェクト紙幣の再識別は、全金種の締回収処理完了後に限定されるものではなく、各金種毎の締回収処理完了後、あるいはまた顧客用操作口部17の出金口部15へ収納される回収リジェクト紙幣の量が所定量になったときであってもよい。
【０１５５】
また、第１金種紙幣用スタッカ21は千円収納および万円回収とし、第２金種紙幣用スタッカ22は万円収納および五千円回収とし、第３金種紙幣用スタッカ23は二千円収納および五千円収納としたが、これらに限られるものではなく、任意に設定することができ、紙幣搬送路26で重複搬送域が生じなければより都合がよい。
【０１５６】
また、取忘れ紙幣収納部18、補充回収紙幣収納部19、リジェクト紙幣収納部20、第１金種紙幣用スタッカ21、第２金種紙幣用スタッカ22の形態については、機体11の後面側から紙幣を取り出せればよく、機体11から後方へ引き出せないが機体11の後面側に設けられる扉の開放によって紙幣を取り出せる形態、機体11から後方に所定量引き出せる形態、機体11から後方に引き出して取り出せる形態のいずれでもよく、それらの形態を組み合わせてもよい。
【０１５７】
また、補充処理時、出金処理時、締回収処理時において、紙幣の１回目の識別で識別不能と識別されたリジェクト紙幣を再識別することによってリジェクト率を低減できるが、紙幣の１回目の識別で識別不能と識別されたリジェクト紙幣収納部20に直接回収するようにしてもよく、この場合には各処理にかかる時間を短くできる。
【図面の簡単な説明】
【０１５８】
【図１】本発明の一実施の形態を示す循環式紙幣入出金機の内部構造を示す側面図である。
【図２】同上循環式紙幣入出金機の顧客用操作口部の断面図である。
【図３】同上循環式紙幣入出金機の取忘れ紙幣収納部の断面図である。
【図４】同上循環式紙幣入出金機の補充回収紙幣収納部の断面図である。
【図５】同上循環式紙幣入出金機のリジェクト紙幣収納部の断面図である。
【図６】同上循環式紙幣入出金機の第１および第２金種紙幣用スタッカの断面図である。
【図７】同上循環式紙幣入出金機の第３金種紙幣用スタッカの断面図である。
【図８】同上循環式紙幣入出金機の紙幣搬送路の断面図である。
【図９】同上循環式紙幣入出金機の三方向切換機構を示し、(a)はガイド部材が第１の位置に位置する切換状態の側面図、(b)ガイド部材が第２の位置に位置する切換状態の側面図、(c)ガイド部材が第３の位置に位置する切換状態の側面図、である。
【図１０】同上循環式紙幣入出金機のブロック図である。
【図１１】同上循環式紙幣入出金機に用いるモータおよびソレノイドを図示した側面図である。
【符号の説明】
【０１５９】
11    機体
17    顧客用操作口部
18    取忘れ紙幣収納部
19    補充回収紙幣収納部
20    リジェクト紙幣収納部
21    第１金種紙幣用スタッカ
22    第２金種紙幣用スタッカ
23    ２金種混在収納用スタッカとしての第３金種紙幣用スタッカ
24    搬送手段
25    紙幣識別手段
26    紙幣搬送路
27    ループ状搬送部
28    外方通路部
29    分岐手段
201   制御部
【図１】
2006127132.tif 000003
【図２】
2006127132.tif 000004
【図３】
2006127132.tif 000005
【図４】
2006127132.tif 000006
【図５】
2006127132.tif 000007
【図６】
2006127132.tif 000008
【図７】
2006127132.tif 000009
【図８】
2006127132.tif 000010
【図９】
2006127132.tif 000011
【図１０】
2006127132.tif 000012
【図１１】
2006127132.tif 000013